(57)【特許請求の範囲】
【請求項１】
薬液を患者に注入する電動注入器と共に使用される使い捨て流体コネクタにおいて、
近位端と遠位端を有している第１の一回使用管構成要素であって、前記第１の一回使用管構成要素の前記近位端は前記電動注入器の第１加圧ユニットの出力ポートに連結された第１の再使用可能管構成要素に作動的に連結されるように構成されており、前記第１の一回使用管構成要素の前記遠位端は患者配管に作動的に連結されるように構成されている、第１の一回使用管構成要素と、
近位端と遠位端を有している第２の一回使用管構成要素であって、前記第２の一回使用管構成要素の前記近位端は前記電動注入器の第２加圧ユニットの出力ポートに直接連結された第２の再使用可能管構成要素に作動的に連結されるように構成されており、前記第２の一回使用管構成要素の前記遠位端は前記患者配管に作動的に連結されるように構成されている、第２の一回使用管構成要素と、
前記第１の一回使用管構成要素及び前記第２の一回使用管構成要素の両方に取り外し不能に取り付けられている部材と、を備えており、
前記第１の一回使用管構成要素と前記第２の一回使用管構成要素はそれぞれ、単一の患者処置だけに使用可能であり、
前記第１の再使用可能管構成要素と前記第２の再使用可能管構成要素はそれぞれ、複数の患者処置に亘って再使用可能であり、
前記使い捨て流体コネクタは、患者注入処置の前に前記電動注入器に連結される１つのアッセンブリとして構成され、前記患者注入処置が完了すると廃棄される、一回使用コネクタである、使い捨て流体コネクタ。
【請求項２】
前記使い捨て流体コネクタを外部医療装置に接続するための接続部を更に備えており、
前記接続部は、前記電動注入器が前記外部医療装置から前記接続部を介して信号を受信するように、前記電動注入器の注入ヘッドに電気的に連結されている、
請求項１に記載の使い捨て流体コネクタ。
【請求項３】
前記コネクタは、前記電動注入器の注入ヘッドの一部に装填されるように構成されている、請求項１に記載の使い捨て流体コネクタ。
【請求項４】
前記第１の一回使用管構成要素の前記遠位端は、流体弁の第１入力ポートに連結されており、
前記第２の一回使用管構成要素の前記遠位端は、前記流体弁の第２入力ポートに連結されており、
前記流体弁の出力ポートは、前記患者配管に連結されている、請求項１に記載の使い捨て流体コネクタ。
【請求項５】
前記流体弁は、エラストマー弁である、請求項４に記載の使い捨て流体コネクタ。
【発明の詳細な説明】
【技術分野】
【０００１】
本出願は、概括的には、薬液を患者に注入する電動注入器と共に使用される使い捨て流体コネクタに関する。
【背景技術】
【０００２】
血管造影は、血管、即ち、ヒト又は動物の体内において血液が移動する通路のネットワーク、の異常又は制限を含め、心臓血管状態の診断と治療に使用される処置である。血管造影中は、Ｘ線撮影造影剤がカテーテルを通して静脈又は動脈に注入され、その後、造影剤は静脈又は動脈と流体連通している脈管構造に移動する。造影剤が注入された体内領域をＸ線が通り抜けるとき、Ｘ線は造影剤によって吸収されるので、目標の脈管構造（群）のＸ線画像が得られる。画像は、フィルム又はビデオテープに記録され、及び／又は蛍光透視モニタに映し出される。画像は、多くの目的に使用され、例えば、診断のため、及びバルーンを脈管系に挿入して膨らませ狭窄を開通させるという血管形成術の様な治療処置のために使用される。
【０００３】
造影剤は、手動又は自動、何れかの方式の注入システムにより、カテーテルの中に注入される。造影剤を注入するための装置は様々であるが、殆どの現行システムは、カテーテルと作動的に接続されているシリンジを含んでいる。シリンジは、造影剤を入れておく室と、その室内を往復移動することができるプランジャを有している。造影剤は、プランジャを動かしてカテーテル内に部分真空状態を作り出すと、室の中に吸い込まれる。プランジャの方向を逆にすると、最初に、空気が室から追い出され、次いで、プランジャの移動速度により決まる速度と量で造影剤がカテーテルに送り込まれる。
【０００４】
手動システムでは、ユーザー又はオペレータは、シリンジを装填し、シリンジをカテーテルに接続する前に室から空気を追い出す。手動システムのユーザーは、プランジャに加える手動力を変えることにより注入の速度と量を調整する。手動システムの最大注入圧は、通常、１５０p.s.i.（人の手によって加えられる最大圧力）に制限されており、流体の最大量は約１２ccである。その様な手動システムは、通常、事前に決められている注入パラメータ（速度又は圧力など）の範囲から外れた注入を制限又は防止するという様な安全特性に何ら対応しておらず、一般的には、気泡や他の危険を検知するアクティブなセンサ又はアラームを含んでいない。
【０００５】
血管造影は、造影剤以外の流体の注入を含むこともある。例えば、生理食塩水による洗浄及び／又は液薬の注入が求められる場合もある。最も普及している手動注入システムの１つは、オペレータが選択的に開閉して所望の流体をシリンジ又はカテーテルに接続されている流体チャネルに送り込んだり抜き出したりする、手動で作動させる複数の弁を有している弁機構を含んでいる。オペレータが、造影液をシリンジの室へ吸入し又はそこから外へと注入するとき、流体は、弁の相対位置により向きが決まる最も抵抗の少ない経路を通って流れる。弁の配置を変えると、１つ又は複数の流体が選択的に注入される。
【０００６】
或る種の自動化された流体送達システムは、医師の様な訓練を受けた専門家により使用され又は操作される制御パネル又はユーザーインターフェースを提供している。専門家は、制御パネルを使用して、１つ又は複数の注入パラメータを入力する。ユーザーインターフェースは、タッチパネルスクリーンを備えている。それらパラメータは、その後、患者への注入処置時に使用される。或る種の自動化された注入システムは、以下の注入パラメータ、即ち、注入される造影剤の量、注入の流量、最大許容注入圧、及び注入流量の変化の速度（即ち、立ち上がり時間）、の入力を要求する。制御パネルは、注入器ヘッド又は
患者のベッドテーブルに直に接続される。
【０００７】
【特許文献１】米国特許第６，０９９，５０２号
【特許文献２】米国特許第６，２２１，０４５号
【特許文献３】米国特許第５，９１６，１６５号
【特許文献４】米国特許第Ｄ４０４，７１７号、
【特許文献５】米国特許第５，８００，３９７号
【発明の開示】
【課題を解決するための手段】
【０００８】
或る特定の実施形態によれば、デュアルシリンジアッセンブリを有する注入システムが提供されている。一方のシリンジは、第１流体媒体（例えば、造影剤など）を保持することができ、第２のシリンジは第２流体媒体（例えば、生理食塩水など）を保持することができる。各シリンジは、独立した吸込ポートと排出ポートを備えている。吸込ポートは、シリンジに流体を充填するのに使用され、排出ポートは、シリンジから流体を放出するのに使用される。
【０００９】
或る特定の実施形態によれば、使い捨てカセットを使用して注入システムへの流体接続を提供している注入システムが提供されている。この注入システムにより分注される流体は、使い捨てカセットを経由して患者に提供される。１つ又は複数の管構成要素が、注入システムと使い捨てカセットの間に連結されている。或る特定のシナリオでは、使い捨てカセットへの流体の流入を防止するため、及び、流体の逆流を防止するためにも、弁、特にピンチ弁が使用されている。この使い捨てカセットは、カセットと注入システムの間の流体接続部を提供すると共に、患者に接続されることになる管の接続部も提供している。使い捨てカセットは、各患者に使用された後は廃棄される一回使用構成要素である。
【００１０】
或る特定の実施形態によれば、複数の表示装置を設けた注入システムが提供されている。この態様では、小型の表示装置が注入器上に直に設けられており、一方、大型の表示装置（主制御パネル）が小型表示装置から遠隔的に設置されている。小型表示装置は、設定情報、エラー及びトラブルシューティング情報、及び他のシステム情報を提供するのに使用されると共に、ボトル又は袋寸法の様な或る特定の入力をユーザーから入手するのにも使用される。１つの態様では、携帯情報端末（ＰＤＡ）の寸法をした追加的な遠隔表示器が更に提供されている。この追加的な遠隔表示器は、１つの実施形態によれば、無線接続を介して主制御パネルと通信している。この追加的な遠隔表示器は可動式であるため、医師は、より柔軟にこの表示器を使用することができる。この寸法のおかげで、追加的表示器は非常に持ち運びし易く、使用に便利である。１つの実施例では、追加的表示器は、ユーザー入力性能と表示出力性能を共に提供している。
【００１１】
或る特定の実施形態によれば、流体注入システムのユーザーを支援するために状況連動型点灯方式を使用する方法を実施している注入システムが提供されている。それら実施形態では、この方法は、流体注入システム上に、システムに対する設定機能を行うようにユーザーに指示する第１視覚表示を提供する段階と、ユーザーが設定機能を不適切に行った場合、システム上に第２視覚表示を提供する段階と、ユーザーが設定機能を適切に行った場合、システム上に第３視覚表示を提供する段階を含んでいる。
【００１２】
或る特定の実施形態によれば、システムの表示装置内に表示するための改良されたグラフィックユーザーインターフェース（ＧＵＩ）を有する注入システムが提供されている。１つの態様では、カスタマイズ可能領域注入ボタン、高速操作案内のためのアイコン、及び一連の事前に定義されているアイコンも提供されている。幾つかの実施形態では、ＧＵＩは、システムのガイド付き設定モード又は高速設定モード、何れかのモード中に、ユー
ザーにインターフェースを提供している。これらの実施形態では、ＧＵＩの機能性は、状況連動型点灯方式の１つ又はそれ以上の態様と同期化されている。ＧＵＩのその他様々な項目が、ユーザーに改良されたインターフェースを提供している。
【００１３】
本発明の１つ又はそれ以上の実施形態の詳細を、添付図面及び以下の説明に述べる。本発明のこの他の特徴、目的、及び利点は、説明及び図面、及び特許請求の範囲から明らかになるであろう。
【発明を実施するための最良の形態】
【００１４】
ここで更に詳しく説明していくにつれ明らかになるはずであるが、本発明の様々な実施形態の原理は、自動化された注入器システムの多種多様な物理的構成に適用することができる。１つのその様なシステムの例を下に概括的に説明する。これより図面を参照してゆくが、図１は、対話式医師制御の下でＸ線撮影造影剤を血管に注入するための注入器システム１０を示している。システム１０は、主コンソール１２、手持ち式遠隔制御器１４、シリンジホルダ１６、シリンジ本体１８、シリンジプランジャ２０、Ｘ線撮影剤用リザーバー（ボトル）２２、一方向弁２４、マニホルド２６、高圧管２８、カテーテル３０、患者投薬ポート３２、三方向止水栓３４、Ｔコネクタ３６、圧力変換器３８、止水栓４０、配管４２、蠕動ポンプ４４、生理食塩水逆止弁４６、廃棄物逆止弁４８、生理食塩水袋５０、廃棄物袋５２、袋支持ラック５４を含んでいる。
【００１５】
コンソール１２は、システム１０の電気制御部を、ピストン２０及び蠕動ポンプ４４を駆動するモーターと共に収納している。コンソール１２の前面上では、ユーザーインターフェース５５が、制御スイッチ５６と表示装置５８を提供しており、これを介してユーザーは制御設定を入力し、システム１０の動作状態を監視する。コンソールは独立しており、輸送カートアッセンブリ上に搭載することができるように構成されているのが望ましい。
【００１６】
電力は、適切な電源装置によりシステムの全ての電気的構成要素に提供され、電源装置は、主電力源からの電気的に安全な絶縁も提供している。電源装置は、コンソール１２内に配置してもよいが、それとは切り離して壁か搭載用カートの何れかに取り付けるのが望ましい。
【００１７】
遠隔制御器１４は、ケーブル６０によってコンソール１２に接続されている（が、他の実施形態では、遠隔制御器１４は、ＲＦ、赤外線光学的、又は超音波リンクの様な無線接続により接続されている）。遠隔制御器１４は、図１に示す実施形態では、リセット用と生理食塩水押し出し用ボタンスイッチ６２及び６４それぞれ、並びに流量制御レバー又はトリガ６６、を含んでいる手持ち式制御器である。トリガ６６を強く握ることによって、ユーザーは、コマンド信号をコンソール１２に供給し、継続的な可変注入速度が提供されるようにする。
【００１８】
シリンジホルダ１６は、コンソール１２の左手側から突き出ている。シリンジホルダ１６は、透明材料であるのが望ましく、半円筒形状の背面殻６８と、半円筒形状の前方ドア７０（図１には開放状態を図示）と、リザーバーホルダ７２を含んでいる。
【００１９】
シリンジ１８は、開放端７４がコンソール１２に接続されている、透明又は半透明のプラスチックシリンダである。シリンジ１８の閉鎖端７６は、上側ポート７８と下側ポート８０の２つのポートを含んでいる。
【００２０】
プランジャ２０は、シリンジ本体１８内を移動可能である。プランジャ２０は、コンソール１２内に配置されているモーターに接続されており、このモーターによって駆動され
る。
【００２１】
Ｘ線撮影造影剤リザーバー２２は、一方向逆止弁２４を介して上側ポート７８に接続されている。Ｘ線撮影造影剤は、リザーバー２２から逆止弁２４と上側ポート７８を通り、シリンジ本体１８とプランジャ２０とによって画定されているポンプ室の中に引き込まれる。逆止弁２４は、シリンジ本体１８からリザーバー２２の中に空気が流れて戻ることは許容するが、Ｘ線撮影造影剤がシリンジ本体１８からリザーバー２２に流れることは許容しない、重り付一方向弁であるのが望ましい。これは、後で更に詳しく説明するが、システムからの自動的な空気抜きを可能にしている。
【００２２】
シリンジ本体１８の下側ポート８０は、マニホルド２６に接続されている。マニホルド２６は、普通は変換器／生理食塩水ポート８２と患者ポート８４を接続するばね付勢式スプール弁を含んでいる。Ｘ線撮影造影剤が注入されるとき、Ｘ線撮影造影剤の圧力によりスプール弁の状態が変えられ下側ポート８０が患者ポート８４に接続される。
【００２３】
高圧管２８は、患者ポート８４をカテーテル３０に接続する可撓性を有する管である。三方向止水栓３４は、管２８の遠位端に配置されている。回転可能なルアーロックコネクタ８６は、止水栓３４に接続されており、カテーテル３０の近位端のルアーコネクタ８８と嵌り合う。留め栓３４は、管２８とカテーテル３０の間の流れを遮断するか、流れを許容するか、投薬ポート３２をコネクタ３０に接続するかの何れである。
【００２４】
Ｘ線撮影造影剤を、カテーテル３０を介して患者の中に注入することの他に、システム１０は、他の関係する機能も行なえるようにしている。患者への薬物（図１には示さず）を送り込むための装置は、薬物がカテーテル３０を介して患者に送り込まれるときに、投薬ポート３２に接続される。
【００２５】
カテーテル３０が患者に挿入されており、Ｘ線撮影造影剤の注入がまだ行われていない段階で、圧力変換器３８は、カテーテル３０、管２８、患者ポート８４、マニホルド２６、変換器／生理食塩水ポート８２、配管９０、Ｔコネクタ３６、及び配管９２から伸長している液柱を通して血圧を監視する。変換器３８は、変換器３８が較正時に雰囲気圧に曝されるようにすると共に、閉じ込められた空気を除去／排除して変換器３８のドーム形の室を生理食塩水で洗浄することができるようにする、付帯する止水栓４０を有している。
【００２６】
蠕動ポンプ４４は、袋５０からの生理食塩水を、生理食塩水逆止弁４６、配管４２、Ｔコネクタ３６、及び配管９０を通して、ポート８２に供給する。蠕動ポンプ４４が食塩水を供給するために作動しているとき、食塩水はマニホルド２６を介して患者ポート８４に供給され、次いで、管２８を通ってカテーテル３０に供給される。
【００２７】
蠕動ポンプ４４は、反対方向に作動して、カテーテル３０から、管２８、マニホルド２６、配管９０、Ｔコネクタ３６、及び配管４２を通り、廃棄物逆止弁４８に至り、そして廃棄物収集袋５２に入るように、流体を吸引することもできる。
【００２８】
本発明の或る好適な実施形態では、シリンジ本体１８、マニホルド２６、管２８、カテーテル３０、Ｔコネクタ３６、配管４２、逆止弁４６と４８、袋５０と５２、及び配管９０と９２は全て使い捨て品目である。それらは、血管造影処置が新しい患者で行われる都度、システム１０に設置されねばならない。システム１０に全ての使い捨て品目を設置して設定を行い、ドア７０を閉め、シリンジ本体１８を造影剤で満たして空気を抜いたら、ユーザー（通常は医師）は、システム１０に、Ｘ線撮影造影剤の注入に適用される安全パラメータを入力する。それら安全パラメータには、通常、一回の注入中に注入されるＸ線撮影造影剤の最大量、最大注入流量、シリンジ本体１８内に発生する最大圧力、及び最大
注入立ち上がり時間又は加速度が含まれる。造影剤の注入を起動させるため、ユーザーは、トリガ６６を強く握ることにより遠隔制御器１４を操作する。事前に設定された安全パラメータ内で、システム１０は、トリガ６６の力又は移動量が増すにつれて、注入流量を増大させる。
【００２９】
通常、ユーザーは、造影剤が流れ出て注入先の構造へ流入するのを蛍光投透視法又は他の画像化方法を使用して継続的に観察することに基づいて、注入された造影剤の量と流量を測る。システム１０は、ユーザーが、患者の必要性に照らして造影剤注入を調整できるようにしており、これにより、処置の品質を最大化し、安全性を高め、及び蛍光透視試験を実行するのに必要な造影剤の量を減らすことができる。
【００３０】
図２Ａから図２Ｇは、システム１０の７つの異なる動作中の流体流路を示す図である。対象動作は、造影剤充填（図２Ａ）、空気抜き（図２Ｂ）、患者注入（図２Ｃ）患者圧力（図２Ｄ）、生理食塩水洗浄（図２Ｅ）、廃棄物吸引（図２Ｆ）、及び患者投薬（図２Ｇ）である。
【００３１】
図２Ａに示す造影剤充填動作には、シリンジ１８をリザーバー（造影媒体供給部）２２からのＸ線撮影造影剤で満たすことが関与する。造影剤充填動作は、システム１０の初期設定時に行うが、システム１０の作動中、シリンジ本体１８がＸ線撮影造影剤の低下した状態で運転されることがあれば何時でも繰り返し行われる。
【００３２】
システム１０の初期設定時、プランジャ２０は、最初、シリンジ本体１８の閉鎖端７６に隣接する最前方位置まで駆動される。これにより、シリンジ本体１８内に在る空気の大部分が雰囲気中に追い出される。
【００３３】
次いで、プランジャ２０を後退させ、シリンジ本体１８内に真空を作り出し、これにより造影剤をリザーバー２２から、逆止弁２４を通り、上側ポート７８を介してシリンジ本体１８内に吸い込む。
【００３４】
造影剤充填動作の結果として、通常は、或る程度の空気がシリンジ本体１８内に引き込まれ、或いはその中に残ることになる。無論、カテーテル３０を通して空気が患者の中に注入されるのを防止することが重要である。これが、図２Ｂに示す空気抜き動作の目的である。更に、２つのポートが異なる高さにあることで、注入時の気泡防止における安全を更に高めることができる。
【００３５】
空気抜き動作中、シリンジ本体１８内に閉じ込められている空気を追い出すために、プランジャ２０は前方に動かされる。空気は、造影剤よりも軽いので、シリンジ本体１８の頂部付近に集まる。プランジャ２０が前方に動くと、空気はシリンジ本体１８から上側ポート７８と一方向弁２４を通して追い出される。図２Ｂに示す実施形態では、一方向弁２４は、リザーバー２２から上側ポート７８にＸ線撮影造影剤が流れることは許容するが、Ｘ線撮影造影剤が反対方向に上側ポート７８からリザーバー２２に流れることは許容しない、重り付一方向弁である。但し、弁２４は、空気がポート７８からリザーバー２２に流れることを許容する。Ｘ線撮影造影剤が、シリンジ本体１８から上側ポート７８を通って弁２４に流れ出始めるやいなや、弁２４は閉じて、リザーバー２２に向けてそれ以上流れないようにする。
【００３６】
弁２４は、代わりの実施形態では、コンソール１２内の電気回路の制御下で作動するソレノイド作動式又はモーター駆動式の弁である。何れの場合も、弁２４は、注入動作中に受ける比較的高い圧力に耐えることができる。弁２４は、約１２００p.s.i.までの静止流体圧に耐えられるのが望ましい。
【００３７】
図２Ｃは、患者注入動作を示している。プランジャ２０は、遠隔制御器１４のトリガ６６を制御しているユーザーの対話式制御下で前方に動かされる。プランジャ２０の移動により、流体圧が発生して、造影剤はシリンジ本体１８から押し出され、下側ポート８０を通り、マニホルド２６と高圧管２８を通り、カテーテル３０に入る。図２Ｃに示すように、シリンジの下側ポート８０と患者ポート８４は、患者注入動作時は流体を流すために接続されている。
【００３８】
マニホルド２６は、患者ポート８４と、シリンジ底部ポート８０又は変換器／生理食塩水ポート８２の何れかとの間の流体接続の経路指定を制御する弁を含んでいる。本発明の１つの実施形態では、マニホルド２６は、患者ポート８４が普通は（図２Ａ及び図２Ｂに示すように）変換器／生理食塩水ポート８２に接続されるようにばね付勢されているスプール弁を含んでいる。プランジャ２０が前方に移動するに伴って、シリンジ底部ポート８０に圧力が生じると、スプール弁に加えられる付勢力に打ち勝って、シリンジ底部ポート８０が患者ポート８４に接続され、変換器／生理食塩水ポート８２は切り離され、マニホルド２６内の弁は、変換器３８を、患者注入動作により発生する高圧に曝されないように護る。
【００３９】
スプール弁は、患者注入動作時はシリンジ下側ポート８０から当該弁に加えられる圧力の増大に応じて自動的に開く。スプール弁は、毎回の患者注入動作終了時にプランジャ２０が引き込まれることによって僅かな真空が掛けられると、閉じて元の位置に戻り、患者ポート８４が変換器３８に接続されるようにする。
【００４０】
代わりの実施形態では、マニホルド２６内の弁は、適切な時に作動して、シリンジの下側ポート８０又は変換器／生理食塩水ポート８２の何れかを患者ポート８４に接続する、電気機械式又はモーター駆動式の弁である。アクチュエータ機構はコンソール１２により制御される。同様に、この代わりの実施形態でも、弁は圧力変換器３８が高圧に曝されないように護る。
【００４１】
図２Ｄは、患者圧力動作を示している。システム１０は、患者の血圧を読み取れるようになっており、血圧はカテーテル３０を介して監視される。患者の血圧は、患者注入、生理食塩水洗浄、及び廃棄物吸引動作時以外は、何時でも圧力変換器３８を使用して監視することができる。圧力変換器３８によって生成される圧力示度は、手動で止水栓４０を開き、止水栓３４を閉じて、圧力変換器３８を雰囲気圧に曝すことにより正規化される。
【００４２】
図２Ｅに示す生理食塩水洗浄動作時には、食塩水を使用し、各内部配管、圧力変換器の室３８、管２８、及びカテーテル３０の全てを洗浄する。図２Ｅに示すように、蠕動ポンプ４４は、食塩水を袋５０から汲み出し、逆止弁４６を通し、配管４２を通し、生理食塩水ポート８２に送る方向に運転されている。マニホルド２６は、食塩水が患者ポート８４から汲み出され、管２８とカテーテル３０に向かうように、生理食塩水ポート８２を患者ポート８４に接続している。
【００４３】
廃棄物吸引動作時、患者ポート８４は、ここでも生理食塩水ポート８２に接続される。この動作時、蠕動ポンプ４４は、生理食塩水洗浄動作時の回転方向とは逆の方向に運転される。その結果、患者の体液が、患者ポート８４から生理食塩水ポート８２に、そして更に配管４２と逆止弁４８を通り廃棄物収集袋５２へと吸い出される。蠕動ポンプ４４は、配管４２を摘み／塞ぎ、逆止弁４６及び４８と共働して生理食塩水及び廃棄物が容器５０及び５２に／から逆流するのを防ぐ弁の役目を果たす。
【００４４】
患者の体内にカテーテル３０が配置された状態で、患者薬物を供給するのが望ましい。
システム１０は、患者投薬ポート３２を設けることによりこの選択肢を可能にしている。図２Ｇに示すように、止水栓３４が開くと、ポート３２に接続されている薬物源が患者ポート８４に接続され、従ってカテーテル３０に接続される。患者投薬動作時、蠕動ポンプ４４とプランジャ２０は動いていない。
【００４５】
図３は、上に述べた血管造影注入器システムと共に使用されている制御システムの電気的ブロック図である。図３の電気制御システムは、単一のデジタルコンピュータ１００を含んでおり、コンピュータは、遠隔制御器１４と前面パネル制御部５６からインターフェース１０２を介して入力信号を受け取り、動作データ、警報、状態情報、及びオペレータプロンプトを表示する信号を表示装置５８に提供する。次の好適な実施形態では、改良された電気制御システムについて説明するが、ここでは、上記血管造影注入器システム１０の構成要素を組み込んでいる血管造影注入器システムの機能説明を完遂するために、単一のコンピュータシステムを説明している。
【００４６】
コンピュータ１００は、モーター１０４、モーター増幅器１０６、タコメータ１０８、ポテンショメータ１１０、整流器１１２、圧力感知ロードセル１１４、及びＡ／Ｄ変換器１１６を含んでいるモーター駆動回路を介して、プランジャ２０の動きを制御する。
【００４７】
モーター増幅器１０６は、コンピュータ１００からの制御電圧、前進／逆行、及び制動の各信号、及びタコメータ１０８から整流器１１２を介して入ってくる速度フィードバック信号に応えて、駆動１信号をモーター１０４に供給する。タコメータ１０８及びポテンショメータ１１０の出力は、速度モニタ及び位置モニタ信号として、Ａ／Ｄ変換器１１６を通してコンピュータ１００に供給される。それらは、コンピュータ１００が、モーター速度、モーター方向、及び位置を調べることができるようにしている（量は計算値である）。
【００４８】
圧力センサ１１４は、シリンジ本体１８内のＸ線撮影造影剤に加えられている圧力を測定するために、モーター電流又はプランジャ力を感知する。この圧力モニタ信号は、Ａ／Ｄ変換器１１６及びインターフェース１０２を通してコンピュータ１００に供給される。
【００４９】
蠕動ポンプ４４は、コンピュータ１００の制御下で、ポンプモーター１２０、モータードライバ１２２、及び光学エンコーダ１２４を通して駆動される。コンピュータ１００は、生理食塩水洗浄の場合には前進方向に、廃棄物吸引の場合には逆行方向に、ポンプモーター１２０を運転するために、生理食塩水（前進）及び廃棄物（逆行）駆動信号をモータードライバ１２２に供給する。光学エンコーダ１２４は、ポンプモーター１２０の回転速度と回転方向の両方を示している速度方向モニタ信号をインターフェース１０２に供給する。
【００５０】
図３は、一方向弁２４及びマニホルド２６内の弁の様な弁類を作動させるのに弁モーター１３０が使用されている制御システムの実施形態を示している。この実施形態では、コンピュータ１００は、モータードライバ１３２を介して弁モーター１３０を制御し、ポテンショメータ１３４からの位置モニタフィードバック信号を通して位置を監視する。この特定の実施形態では、弁モーター１３０はステッパモーターである。
【００５１】
コンピュータ１００は、温度センサ１４０からの温度監視信号に基づき造影剤の温度を監視する。温度センサ１４０は、シリンジ本体１８付近に配置されるのが好ましい。温度センサ１４０の感知した温度が高すぎる場合、コンピュータ１００は運転モーター１０４を使用禁止にして患者注入を停止させる。温度が低すぎる場合、コンピュータ１００は、ａ／温度使用可能駆動信号をヒータドライブ１５０に供給し、ヒータ１５２にエネルギーが供給される。１つの好適な実施形態では、ヒータ１５２は、シリンジ本体１８に隣接す
るシリンジホルダ１１６内に配置されている抵抗膜ヒータである。
【００５２】
コンピュータ１００は、造影剤ボトルセンサ１６０、前進限界センサ１６２、逆行限界センサ１６４、シリンジ欠落センサ１６６、室開放センサ１６８、造影剤気泡検出器１７０、及び配管内空気気泡検出器１７２からのフィードバック信号を受信する。
【００５３】
造影剤ボトルセンサ１６０は、リザーバーホルダ７２内に配置されている小型スイッチである。センサ１６０からの造影剤ボトル存在信号の状態は、リザーバー２２がホルダ７２内に配置されているか否かを示す。リザーバー２２が存在していなければ、コンピュータ１００は充填動作を使用禁止にする。
【００５４】
前進限界及び逆行限界センサ１６２と１６４は、プランジャ２０の端限界位置を感知する。プランジャ２０がその前進限界位置に達すると、プランジャ２０のそれ以上の前方移動は許されない。同様に、逆行限界センサ１６４が、プランジャ２０がその逆行限界位置に達したことを示すと、それ以上の逆行移動は許されない。
【００５５】
シリンジ欠落センサ１６６は、シリンジ本体１８がシリンジホルダ１６内に配置されていない場合を示す小型スイッチ又は赤外線放出器／検出器である。シリンジ本体１８が定位置にない場合には、プランジャ２０をその逆行限界位置まで移動させる（即ち、ゼロに戻す）こと以外の全移動機能は使用禁止にされる。
【００５６】
室開放センサ１６８は、シリンジホルダ１６のドア７０が開いている場合を感知する小型スイッチ又は赤外線放出器／検出器である。センサ１６８からの信号が、ドア７０が開いていることを示した場合、全移動機能は使用禁止にされる。ドア７０が閉じられ係止されている場合にのみ、移動は許される。ドア７０が閉じられていることが示され且つセンサ１６６がシリンジ本体１８が定位置にあることを示すと、システム１０の他の正常機能が進められる。
【００５７】
気泡検出器１７０は、リザーバー２２と上側ポート７８の間に配置されており、気泡を感知する赤外線放出器／検出器であるのが望ましい。充填動作中にリザーバー２２と上側ポート７８の間の流路中に気泡が感知されると、充填動作は新しいリザーバーが接続されるまで使用禁止にされる。
【００５８】
気泡検出器１７２は、高圧配管２８内の気泡を感知するために配置されている。この検出器は、赤外線放出器／検出器型の気泡検出器であるのが望ましい。高圧配管２８内に気泡が検出されると、その結果、流体が蠕動ポンプ４４からの生理食塩水であろうと、シリンジ本体１８からの造影剤であろうと、全流体押し出し機能は使用禁止にされる。
【００５９】
図３の制御システムには、コンピュータ１００によって制御されているリレー１８０を介してＸ線機器へ信号を供給する能力も含まれている。また、コンピュータ１００は、血圧変換器３８、及び注入器システム１０とは切り離されている心電図（ＥＣＧ）システムからデータを受け取る。圧力及びＥＣＧ信号は、信号調整器及びＡ／Ｄ変換器１９０を介して受け取られ、コンピュータ１００に送られる。ＥＣＧ信号は、１つの好適な実施形態ではコンピュータ１００により使用され、モーター１０４の動作（及び、従って患者注入動作）を心拍と同期化させる。
【００６０】
心臓への血流は、大部分は心臓拡張期（心臓が収縮と収縮の間にある時）に起こる。造影剤を連続して注入すると、心臓収縮期中に造影剤が溢れて大動脈内に流入する結果になる。主に心臓拡張期中に注入することにより、造影剤が冠状動脈内へ注入される完全性を損なうこと無く、注入造影剤投与量を減らすことができる。
【００６１】
或る好適な実施形態では、Ｘ線撮影造影剤の注入は、冠状動脈血流と同期化される。心臓収縮期と心臓拡張期の持続時間は、心電図（ＥＣＧ）電気信号、動脈血圧波形分析、又は心拍数に基づく他のタイミングを使用して求められる。モーター１０４の速度、プランジャ２０の速度、従って運動を制御することにより、造影剤の注入は、心臓収縮期の間は中断され、これによりその期間中の造影剤注入は低減又は停止される。遠隔制御器１４と組み合わせれば、ユーザーは、コンピュータ１００が造影剤注入を心臓周期に対して自動的に脈動させている状態で、冠状動脈内への造影剤注入の速度を変えることができる。
【００６２】
移動中の造影剤の慣性力と、造影剤を保持している容器及び造影剤を患者に送っている配管の拡張は、シリンジ本体１８内のプランジャ２０の動きと、カテーテル３０を出て患者へ入る造影剤の動きとの間で位相遅れを発生させる恐れがある。プランジャ２０の動きと患者への造影剤放出との間の位相遅れを調整するために、心臓周期が選択された時間だけオフセットされるように、可変時間オフセットが制御パネル５４を通して入力される。位相遅れの大きさは心拍周期によって決まるため、コンピュータ１００内のアルゴリズムは、時間オフセットの大きさを、造影剤注入時の瞬間心拍数に基づいて継続的且つ自動的に調整する。
【００６３】
図４は、本発明の１つの実施形態の前面パネル制御スイッチ５６と表示装置５８を説明している、制御パネル５４の１つの実施形態を示している。前面パネル制御スイッチ５６は、設定／充填／終了スイッチ２００、空気抜きスイッチ２０２、吸引スイッチ２０４、生理食塩水スイッチ２０６、使用可能ＯＫスイッチ２０８、注入量限界スイッチ２１０ａ及び２１０ｂ、注入流量限界スイッチ２１２ａ及び２１２ｂ、注入圧力限界スイッチ２１４ａ及び２１４ｂ、立ち上がり時間スイッチ２１６ａ及び２１６ｂ、ＯＫスイッチ２１８、注入範囲トグルスイッチ２２０、大注入ＯＫスイッチ２２２、及び停止スイッチ２２４を含んでいる。
【００６４】
設定／充填／終了スイッチ２００は、瞬間押しボタンスイッチである。最初に作動させるとき、ユーザーは、シリンジ１８をシリンジホルダ１６に入れるように通知される。シリンジ１８がシリンジホルダ１６に入れられると（これは、センサ１６６によってコンピュータ１００に表示される）、ユーザーは、室を閉じて係止するように（即ち、ドア７０を閉じるように）指示される。プランジャ２０は、その前方一杯の位置まで動かされ、シリンジ内の全空気を追い出す。そこで、表示装置５８は、オペレータに造影剤リザーバー２２を接続するよう表示する。造影剤リザーバー２２が定位置に設置されると、オペレータは、ＯＫスイッチ２１８を押すように要請され、その時、プランジャ２０は、設定された速度（毎秒１０ｍｌの流量に対応しているのが望ましい）で最大シリンジ量まで後退する。実速度（Ａ／Ｄ変換器１１６からコンピュータ１００へのフィードバックにより表示される）が設定速度より高い場合、システム１０は停止する。
【００６５】
プランジャ２０がその最後方位置に来ると、モーター１０４が作動して、プランジャ２０を前方に動かし、全気泡を押し出す。圧力センサ１１４は、何時、一方向弁２４が閉じられ、シリンジ本体１８内に圧力が発生し始めたかを表示する。空気抜きが完了すると、全注入量と注入回数カウンタがリセットされる。
【００６６】
スイッチ２００を作動させると、更に、Ｍｌ後退とプランジャ２０のシリンジ本体１８からの切り離しが可能になる。
空気抜きスイッチ２０２は、防護付き瞬間押しボタンスイッチである。空気抜きスイッチ２０２を作動させると、プランジャ２０は前方に動き、上側ポート７８を通して空気を押し出す。プランジャ２０の前方移動は制限されており、シリンジ１８内の圧力が事前に決められている圧力に達すると停止される。これは、圧力センサ１１４によって感知され
る。空気抜きスイッチ２０２により開始された空気抜き動作は、シリンジ２０内の空気を追い出す。ユーザーは、空気抜きスイッチ２０２を使って、空気抜きスイッチ２０２を押して連続してオンに保つことにより、患者ポート８４を通して流体を押し出すこともできる。
【００６７】
吸引スイッチ２０４は、コンピュータ１００に蠕動ポンプ４４のポンプモーター１２０を起動させるための瞬間押しボタンスイッチである。ポンプモーター１２０は、設定速度でカテーテル３０を吸引するように運転され、吸引された流体は廃棄物袋５２に収集される。吸引中、他の全ての動作機能は切り離されている。モーター１２０の実速度が設定速度よりも高いと、コンピュータ１００はモーター１２０を停止させる。
【００６８】
生理食塩水スイッチ２０６は、交互作用スイッチである。ポンプモーター１２０は、生理食塩水スイッチ２０６が押されると、これに応答して作動し、生理食塩水が、袋５０からマニホルド２６そしてカテーテル３０の中に設定速度で導入される。生理食塩水スイッチ２０６が、食塩水の流れを止めるために１０秒内にもう一度押されなかったときは、コンピュータ１００が、自動的にポンプモーター１２０を停止させる。時間切れになってしまうと、以降の行為を開始する前に、生理食塩水スイッチ２０６を元の状態にリセットせねばならない。
【００６９】
使用可能ＯＫスイッチ２０８は、瞬間押しボタンスイッチである。システムが、注入終了時に限界以外の使用禁止機能を検知した後は、ＯＫスイッチ２１８を作動させて以降の機能を開始する前に、使用可能ＯＫスイッチ２０８を作動させねばならない。
【００７０】
注入量限界キー２１０ａ及び２１０ｂは、一回の注入中にシステムが注入する最大注入量の増量又は減量の何れかを行う場合に押される。キー２１０ａは、最大体積値を上げ、キー２１０ｂは下げる。一旦、最大注入量限界が設定されると、測定量が設定値に達すれば、コンピュータ１００はモーター１０４を停止させ、ＯＫスイッチ２１８が押されるまで再始動しない。大注入（即ち、１０ｍｌ超）が選択された場合、ＯＫスイッチ２１８と大注入ＯＫスイッチ２２０が、両方共、大注入開始前にリセットされねばならない。
【００７１】
注入流量限界キー２１２ａ及び２１２ｂは、医師が、一回の注入中にシステムが到達し得る最大流量を選択できるようにしている。測定流量（タコメータ１０８及びポテンショメータ１１０からのフィードバック信号により求められる）が設定値に達した場合、コンピュータ１００は、モーター１０４を制御して流量を設定値に制限する。
【００７２】
注入圧力限界キー２１４ａ及び２１４ｂは、医師が、一回の注入中にシステムが到達し得る最大圧力を選択できるようにしている。圧力センサ１１４により判定された測定圧力が設定値に達した場合、コンピュータ１００は、モーター１０４を制御して圧力を注入圧力限界に制限する。結果的に、注入速度も制限される。
【００７３】
立ち上がり時間キー２１６ａ及び２１６ｂは、医師が、一回の注入中に流量を変化させながらシステムが許容する立ち上がり時間を選択できるようにしている。コンピュータ１００は、モーター１０４を制御して、立ち上がり時間を設定値に制限する。
【００７４】
代わりの実施形態では、キー２１０ａ−２１０ｂ、２１２ａ−２１２ｂ、２１４ａ−２１４ｂ、２１６ａ−２１６ｂは、数値を選択するための他の装置に置き換えることができる。それらには、選択ダイアル、数字キーパッド、及びタッチスクリーンが含まれる。
【００７５】
ＯＫスイッチ２１８は、機能とハードウェアセンサをリセットする瞬間押しボタンである。ＯＫスイッチ２１８が作動したことに応答して、コンピュータ１００は、表示装置５
８を制御し、オペレータに正しい機能が選択されていることを認知するよう求める。ＯＫスイッチ２１８の作動により、状態は、用意が整いました、に設定される。
【００７６】
注入範囲スイッチ２２０は、トグルスイッチである。スイッチ２２０が「小」の位置にあるか「大」の位置にあるかによって、次の注入の注入量範囲が、多量又は少量の何れかに選択される。
【００７７】
大注入ＯＫスイッチ２２２は、瞬間押しボタンスイッチである。大注入範囲が注入範囲スイッチ２２０によって選択されると、大注入ＯＫボタン２２２を起動させて、ＯＫスイッチ２１８を使用可能にせねばならない。ＯＫスイッチ２１８は、各注入前に作動させねばならない。大注入に際し、ユーザーには、最初に大注入ＯＫスイッチ２２２を、次にＯＫスイッチ２１８を作動させることによって、選択された量を確認するよう要求される。
【００７８】
停止スイッチ２２４は、瞬間押しボタンスイッチである。停止スイッチ２２４が押されると、全ての機能は使用禁止になる。表示装置５８はアクティブのままである。
表示パネル５８は、設定表示２５０、状態表示２５２、警報表示２５４、限界表示２５６、総注入回数表示２６０、総注入量表示２６２、流量表示２６４、注入量表示２６６、注入量限界表示２６８、注入速度限界表示２７０、圧力限界表示２７２、立ち上がり時間最小値表示２７４、大注入表示２７６、及びリアルタイム時計表示２７８を含んでいる。
【００７９】
設定表示２５０は、オペレータが設定手続きを行っているときに表示される一連のメッセージを含んでいる。設定表示２５０のメッセージの表示は、先に説明したように、設定スイッチ２００を作動させることによって開始される。
【００８０】
状態表示２５２は、幾つかの異なる動作状態の１つを点滅表示する。図４の実施形態では、表示されるそれら状態状況は、「用意が整いました」、「設定」、「注入中」、「充填中」、「洗浄中」、及び「吸引中」を含んでいる。
【００８１】
警報表示２５４及び限界表示２５６は、オペレータに、システム１０は、臨界制御パラメータに遭遇し、動作を使用禁止にする、又は、システム１０は、上限又は下限に達し、制限された様式で機能し続ける、又は、システム１０は、上限又は下限に達し、動作を続行する、という状況を通知する。
【００８２】
総注入回数表示２６０は、現在の患者の場合に施された（累積）総注入回数を表示する。現在の患者の場合の間に注入された累積総量は、総量表示２６２によって表示される。
【００８３】
表示２６４と２６６は、現在又は前回の注入に関する情報を提供する。表示２６４は、注入中に患者へのリアルタイム流量のデジタル値を示す。注入が完了すると、表示２６４に表示される値は、当該注入中に到達したピーク流量を表す。表示２６６は、最も最近の注入時の注入量のデジタル値を示す。
【００８４】
表示２６８は、スイッチ２１０ａ及び２１０ｂの操作により選択された最大注入量のデジタル値を表示する。同様に、表示２７０は、スイッチ２１２ａ及び２１２ｂで選択された、システムが許容する最大流量のデジタル値を示す。
【００８５】
表示２７２は、システム１０がシリンジ１８内に発生するのを許容する最大圧力のデジタル値を示す。圧力限界は、スイッチ２１４ａ及び２１４ｂによって選択される。
表示２７４は、流量変化中にシステムが許容する最小立ち上がり時間を示している。最小立ち上がり時間は、スイッチ２１６ａ及び２１６ｂを通して選択される。
【００８６】
大注入表示２７６は、オペレータによって大注入が選択されたときに明白な表示を提供する。
リアルタイム時計表示２７８は、現在の時刻を、時、分、秒で示す。
【００８７】
図５Ａ及び５Ｂは、ユーザーの手に沿うように設計されている主ハウジング３００を含んでいる遠隔制御器１４の１つの実施形態を示している。トリガ６６は、ハウジング３００に対して動かすことができ、トリガ６６の位置によって、トリガ位置の関数であるコマンド信号が生成される。１つの実施形態では、トリガ６６は、ハウジング３００内のポテンショメータにリンクされている。コマンド信号は、注入流量又は速度を制御する。流量は、トリガ位置に正比例する。
【００８８】
リセットスイッチ６２は、瞬間押しボタンスイッチであり、その機能はＯＫスイッチ２１８と同じである。代わりに、リセットスイッチ６２に「ＯＫ」の標示を付けてもよい。
遠隔制御器１４の生理食塩水スイッチ６４は、押すとオンになり、もう一度押すとオフになる、交互作用押しボタンスイッチである。生理食塩水スイッチ６２の機能は、前面パネル５４の生理食塩水スイッチ２０６と同じである。
【００８９】
本発明の別の実施形態に示すように、図１及び図５Ａと図５Ｂに示している手持ち式遠隔制御器１４に代えて、足ペダルの形態の代わりの遠隔制御器１４’が使用されている。足ペダル遠隔制御器１４’は、コマンド信号並びにリセット又はＯＫスイッチ６２’及び生理食塩水スイッチ６４’を提供するために、足で操作する速度ペダル又はトリガ６６’を含んでいる。カバー３１０及び３１２は、スイッチ６２’及び６４’を、手でしか作動させることができず、誤って足で作動させることの無いように、それらスイッチを保護している。足ペダル遠隔制御器１４’は、ケーブル６０’でコンソール１２に接続されているが、代わりに無線リンクによって接続してもよい。
【００９０】
図７Ａ−図７Ｄ及び図８Ａ−図８Ｃは、一方向弁２４及びマニホルド２６の構造、及び造影剤充填、空気抜き、及び患者注入動作中のそれらの動作を示している。
図７Ａと図８Ａは、造影剤充填動作中の、一方向弁２４、マニホルド２６、シリンジ本体１８、及びプランジャ２０を示している。一方向弁２４の吸込逆止弁は、図７Ａ及び図７Ｂでは弁室３５２内の下方着座位置にある重りボール３５０を含んでいる。造影剤は、プランジャ２０の後方移動によりシリンジ本体１８の中に引き込まれて行く。造影剤は、ボール３５０の周囲の通路３５４を通り上側ポート７８に流れ込む。
【００９１】
マニホルド２６は、スプール本体３６２、シャフト３６４、Ｏリング３６６、３６８、及び３７０、付勢ばね３７２、及びリテイナ３７４を含むばね負荷スプール弁３６０を保有している。図７Ａに示すように、造影剤充填動作中、付勢ばね３７２は、スプール本体３６２を、シリンジ本体１８に向けてその最右位置に押し付ける。この位置では、スプール本体３６２は、斜め通路３７６を通して変換器生理食塩水ポート８２を患者ポート８４に接続しながら同時にシリンジ本体１８の下側ポート８０を遮断している。一方のＯリング３６６と３６８、及び他方のＯリング３７０は、斜め通路３７６の両側に配置されて、流体シールを形成している。
【００９２】
図７Ｂと図８Ｂは、空気抜き動作を示している。シリンジ本体１８は、造影液で満たされているが、中には空気も閉じ込められている。プランジャ２０は、前方に駆動されて、シリンジ本体１８から上側ポート７８を通し、そして逆止弁２４を通して、空気を追い出す。空気の力は、逆止弁２４のボール３５０を僅かに持ち上げる。しかしながら、ボール３５０は十分に重いため、シリンジ本体１８から追い出されリザーバー２２に戻っていく空気は、ボール３５０を、シリンジ本体１８からの空気の流出を遮断するその最も上側の着座位置まで持ち上げることはできない。
【００９３】
空気抜き動作中、スプール弁３６０は、図７Ａと同じ位置にある。斜め通路３７６は、変換器の生理食塩水ポート８２を患者ポート８４に接続している。その結果、圧力変換器３８による圧力監視は、空気抜き（並びに造影剤充填）動作の間に行われる。
【００９４】
図７Ｃと図８Ｃは、空気抜き動作終了時及び患者注入動作開始時のマニホルド２６と逆止弁２４の状態を示している。
図７Ｃでは、全ての空気はシリンジ本体１８から追い出されている。ボール３５０は、Ｘ線撮影造影剤上に浮かんでいるので、全ての空気が除去され、Ｘ線撮影造影剤がシリンジ本体１８から上側ポート７８を通って弁室３５２に流れ始めると、ボール３５０はその上側着座位置まで上向きに動かされる。ボール３５０は、図７Ｃと図８Ｃに示すように、Ｘ線撮影造影剤が継続して上向きに流れるのを遮断する。
【００９５】
図７Ｃに示す状態では、シリンジ本体１８内の圧力、具体的には下側ポート８０の圧力は、まだ、ばね３７２の付勢力に打ち勝つレベルには至っていない。その結果、スプール本体３６２は、まだ左に動いておらず、斜め通路３７６は、引き続き変換器生理食塩水ポート８２と患者ポート８４を接続している。
【００９６】
図７Ｄは、患者注入動作を示している。プランジャ２０は、前方に移動中であり、吸込逆止弁２４は閉じられている。下側ポート８０の圧力は、ばね３７２の付勢力に打ち勝てるだけの高さになっている。スプール本体３６２は左に駆動されているため、下側ポート８０は患者ポート８４に接続されている。同時に、スプール本体３６２は、変換器／生理食塩水ポート８２を遮断している。
【００９７】
スプール弁３６０の動作によって、プランジャ２０とシリンジ本体１８の動きにより生成された高い圧力は、患者ポート８４に直接接続され、一方、生理食塩水ポート８２と圧力変換器３８は高圧から保護されている。作動させる圧力は可変であり、製造後にシリンジ予加重を増減することにより決められる。
【００９８】
当業者には理解頂けるように、一般的な血管造影注入器システム１０は、この他の構成に作ることもできる。例えば、米国特許第６，０９９，５０２号「デュアルポートシリンジ」（参照文献として援用）に記載の参照されている血管造影注入器システムの代わりのシリンジ及び取り付け用システム部分を、これまで説明してきたものに置き換え及び／又は修正するために採用してもよい。また、当業者には理解頂けるように、例えば、米国特許第６，２２１，０４５号「自動高／低圧力切換式血管造影注入器システム」（参考文献として援用）に記載されている、アッセンブリのマニホルド部分などに対する改良、並びに遠隔制御器１４の他の構成を採用してもよい。遠隔制御アッセンブリの幾つかの代わりの構成は、前記参照出願、及び米国特許第５，９１６，１６５号「空圧制御装置及び方法」、及び米国特許第Ｄ４０４，７１７号「手持ち式空圧制御装置」に記載されており、上記全特許を参考文献としてここに援用する。
【００９９】
前出図面の血管造影注入器システムの代わりの実施形態の構成を、図９ａと図９ｂに符号１０’で示している。図９に示す実施形態では、血管造影注入器システム１０の構成要素の幾つかの物理的位置は、システムを使い易くするために配列し直されている。例えば、最初に説明した実施形態のユーザーインターフェース５４、制御スイッチ５６、及び表示装置５８は、単一の制御パネル４００に統合されている。図示の第２の実施形態では、制御パネル４００は、スイベル基部上のコンソール又は注入器ヘッド１２’に取り付けられており、最適配置にするため、ユーザーが外して再接続できるようになっている。図９の構成の機械的略図を図１０に示している。図９と図１０に示すように、電源装置５９’回路は、コンソール１２とは切り離して機械的に搭載されている。コンソールと電源装置
は、全体を符号４０２で示しているカートに取り付けられており、このカートは、容易に動かすための車輪を含んでおり、意図される方法で使用されるときに安定性を提供し転倒し難いように設計されているのが望ましい。カートは、コンソール及び電源装置アッセンブリを迅速に着脱できるようにして、コンソールと電源装置を、ベッド又は嵌合接続装置を具備している他の静止装置にドッキングさせることができるようにしている。図１０に示すように、手持ち式制御器１４’は、制御パネル４００に作動的に接続されており、蠕動ポンプアッセンブリ４４’は、コンソール１２’に機械的に取り付けられている。本発明の第１の実施形態に関連して先に説明したシリンジと関連構成要素を保持するためのアッセンブリは、「取り付け室」４０４という名称の機能ブロックで全体を表している。先に「使い捨て」品目（即ち、シリンジ、シリンジ本体内のピストン、造影剤弁、患者マニホルド、造影剤注射針、及び患者血圧ポート）として説明及び参照したこれらの構成要素は、全体的に機能ブロック４０６で標示されている。
【０１００】
血管造影注入器システム１０’の第２の好適な制御構成の電気的機能ブロック図を図１１に示している。複数の図面（図１１ａ及び図１１ｂ）が、共同で血管造影注入器システム１０’の電気制御ネットワークを構成している。図１１のネットワークの説明を容易にするために、先に第１の実施形態の匹敵する電気的構成要素に使用した符号は、図１１の同様に機能する電気的構成要素の説明では、必ずしも重複して使用していない。図１１に示すように、制御システムは２つの別々のコンピュータシステムを含んでおり、それぞれが注入器システムの機能を監視及び制御するための知能を有している。先の実施形態と同じく、コンピュータシステムは、一般に、制御パネル４００から入力信号を受け取り、表示装置のデータ、警報、状態情報、及びオペレータプロンプトに信号を供給する。好適な実施形態では、コンピュータシステムは、２つのマイクロコンピュータを備えている。全体を符号４１０で示しているＰＣプロセッサは、制御システムのマスタプロセッサの役目を果たし、全体を符号４１２で示している内蔵プロセッサは、スレーブプロセッサの役目を果たす。一般に、マスタプロセッサが、内蔵プロセッサにコマンドを実行するように命令するが、両プロセッサは共に、実行された行為を監視する。両プロセッサは共に、安全のために、独立した行為モニタとして機能する。注入器モーター運動及び蠕動モーター運動の様なキー的な機能は、両マイクロコンピュータによって監視される。好適な実施形態では、ＰＣプロセッサ４１０は、３８６ＤＯＳ中央演算処理ユニットを有しており、内蔵コアプロセッサ４１２は、ＨＣ１６ビット中央演算処理ユニットを有している。本発明の精神及び意図の範囲内で、他の型式のマイクロプロセッサを使用できるものと理解頂きたい。
【０１０１】
図１１を参照すると、ＰＣプロセッサ４１０は、第１通信バス４１４によって、システム全体の電気的構成要素と通信しており、内蔵コアプロセッサ４１２は、第２通信バス４１６によって、システム全体の電気回路と通信していることが分かる。２つのプロセッサは、各自のバス及び符号４１７及び４１８で全体的に示している一対の通信レジスタによって、互いに通信している。一般的な「番犬／電源異常／リセット」機能は、機能ブロック４１９で示しており、ＥＣＧ捕捉情報は、先入れ先出し方式に基づき、機能ブロック４２０により収集され、両プロセッサにより処理される。一般に、システムの各種電気的機能ブロックと２つのバス４１４及び４１６の間の通信の形式は、各電気的機能ブロックに関係付られている図１１の個々の信号の流れの経路により、及びそれら信号の流れの経路内の信号流表記により、示されている通りである。
【０１０２】
図１１に示すように、取り付け室４０４に付帯している各種電気的及び感知機能は、使い捨てシリンジを取り付け室の中に装填するのに使用される前方装填室ドアが閉じているときを示す「室閉鎖中」（４２２）という名称が付けられているセンサ；ボトルホルダ内に配置されており、ボトルの中に流体が存在するか否かを示す「造影剤空」（４２３）と表示されている造影剤ボトルセンサ；コンピュータが患者マニホルド弁及び造影剤弁の状
態を判定するために使用する「上側及び下側弁センサ」と表示されている２つの弁センサ（４２４）；シリンジ及び使い捨て品目内の手動気泡検出をやり易くする「ＥＬバックライト」と表示されている電場発光バックライト（４２５）；シリンジ本体に隣接してシリンジホルダ内部に配置されている「造影剤ヒータ」（４２６）と表示されている加熱要素；造影剤を比較的一定した温度に維持するために造影剤ヒータを制御するための信号を提供するため、シリンジ本体付近に配置されており、「ＲＴＤ温度センサ」（４２７）と表示されている一対の温度センサ；高圧配管内の空気を感知するために配置され、患者に対して汲み出される流体の気泡又は気柱の有無を監視する「気泡検出」（４２８）と表示されている気柱検出センサを含んでいる。図１１に示すように、ＥＬバックライト４２５を除き、取り付け室内のセンサのそれぞれは、両プロセッサと通信している。
【０１０３】
一般に、制御パネル４００は、アームライト４３０、スピーカー４３１、タッチスクリーン４３２、表示装置４３３、及び非常スイッチ４３４を含んでいる。アームライト４３０は、注入器が注入を行う準備が整ったら点灯する。スピーカー４３１は、ユーザーとの可聴インターフェース通信を提供する随意的な特性である。表示装置３３は、好適な実施形態では、システムの作動状態を表示するのに使用される液晶（ＬＣＤ）パネルである。タッチスクリーン４３２は、ＬＣＤパネル上にオーバーレイされ、後で更に詳しく説明するが、ユーザーがシステムを制御するのに使用される。制御パネルの機能の全ては、ＰＣプロセッサ４１０と直接通信している。非常スイッチ４３４は、通信バス４１４及び４１６の両方、並びに後で説明する遮断リレー及び注入器モーター半導体リレーと直接通信している。
【０１０４】
手動制御機能ブロック１４’は、遠隔手動制御ユニットの回路機能を含んでいる。先に説明したように、手持ち式制御器は、ユーザーが作動させた時に、手動制御装置の変位に比例する電気信号を出力する様なやり方で、血管造影注入器ポンプを制御するために使用される装置である。制御器は、図１１に示すように両マイクロプロセッサと通信するパッシブな電気機械装置である。手持ち式制御器には、物体の位置を遠隔的に確定し、制御器の手動可動部分のアクティブな移動距離と変位を求めるのに使用される、一対のシールされたオンコンタクトセンサが入っている。センサは、「アナログホール効果」（４４０）と「デジタルホール効果スクウィズ」（４４１）と表示されている２つの機能ブロックで示されている。生理食塩水リセット機能は、「生理食塩水リセットボタン」（４４２）と表示されており、「制御型及び接続状態」（４４３）と表示されている機能ブロックは、システムが「固定速度」又は「可変速度」注入の何れを行うのに使用されるかについて、手持ち式制御器を介してマイクロプロセッサに設定表示を提供する。可変速度モードの動作の下では、オペレータは、手持ち式制御器によって瞬間注入速度を事前に決められている最大流量まで変えることが許される。固定速度モードの動作では、オペレータが手持ち式制御器アクチュエータを強く握ると、制御システムは、単に、造影剤を、注入処理に先立って制御システムに入力された事前に決められた固定速度で注入することによって応答する。
【０１０５】
蠕動ポンプ４４’は、マイクロプロセッサの制御下で、ポンプモーター及びモータードライバを介して駆動される。全体的に「ＰＷＭ制御回路」（４５０）と表示されているモータードライバは、蠕動ポンプモーターにパルス幅変調制御信号を供給する。コンピュータは、モータードライバに前進（生理食塩水）及び逆行（廃棄物）両方の駆動信号を供給して、ポンプモーターを、生理食塩水洗浄の場合は前進方向に、廃棄物吸引の場合は逆行方向に作動させる。好適な実施形態の蠕動ポンプは、「速度超過トルク超過」センサ４５１と「遮断リレー」４５２を含んでいる。速度超過／トルク超過センサ４５１は、マイクロプロセッサに、ポンプ駆動回路４５０により蠕動ポンプの速度を正確に制御するためのフィードバック信号を供給する。遮断リレー４５２は、マイクロプロセッサ又は非常停止スイッチ４３４の何れかにより起動される。
【０１０６】
注入器モーター４６０は、シリンジ内のピストン又はワイパを動かすために作動的に接続されており、「モーター制御器」増幅器（４６１）によって制御される。好適な実施形態では、モータードライバ４６１は、後で説明する、入れ子式ループ制御構成により正確に制御される市販のサーボ増幅器である。一般に、モーター増幅器は、制御電圧に応じて駆動信号をモーターに供給する。前進、逆行、及び休止信号は、コンピュータから入り、光学エンコーダからの速度フィードバック信号は、速度を制御するのに使用される。モーター状態の監視動作は、「モーター状態速度超過／トルク超過」（４６２）という名称を付けられている機能ブロックで表示されており、モーターの速度と位置を感知するための独立した光学エンコーダセンサは、「エンコーダ」機能ブロック（４６３）と表示されている。内蔵マイクロプロセッサにバックアップ信号を供給するのに、ポテンショメータが使用されており、モーターの絶対「位置」が表示される。ポテンショメータは、ブロック図では、「絶対位置ポット」機能ブロック（４６４）と表示されている。光学エンコーダ及びポテンショメータの出力は、速度モニタ及び位置モニタ信号としてプロセッサに供給され、コンピュータがモーター速度、モーター方向及び位置を調べることができるようにしている。一対の前進及び逆行限界センサは、シリンジピストンの端限界位置を感知し、「Ｆ／Ｒ限界スイッチ」（４６５）という名称が付けられた機能ブロックで表示されている。ピストンがその前進限界位置に達すると、それ以上の前進運動は許されない。同様に、ピストンがその逆行限界位置に達したことを逆行限界センサが表示すると、それ以上の逆行運動は許されない。注入器モーター制御は、プロセッサ又は非常スイッチ４３４の何れかからのコマンドの下で注入器モーターを使用禁止にするための半導体リレー（４７０）も含んでいる。
【０１０７】
電源装置５９’は、システムに全電力を供給しており、電源装置を１１０−１２０ボルトＡＣ又は２２０−２４０ボルトＡＣの何れに接続するかの選択を可能にしている外部選択可能電圧範囲スイッチ５９ａ’を含んでいる。好適な実施形態では、ライン電圧動作周波数は、４７Ｈｚから６３Ｈｚの間になければならず、ライン電圧は、１０アンペアの電流を通電させることができねばならない。電源装置は、更に、パワーインジケータ灯５９ｂ’、オン／オフスイッチ５９ｃ’、及びケーブルをシャーシ１２’内の回路に繋ぐためのコネクタを提供するケーブルコネクタ５９ｄ’を含んでいる。
【０１０８】
注入器モーター４６０を制御するのに好適な入れ子式制御ループ構成のより詳細な電気的機能ブロック回路ネットワークを、図１２に示している。この図に示すように、注入器モーター４６０は、この好適な実施形態では、サーボ増幅器ネットワーク回路４６１によって制御されているブラシレスＤＣモーターである。好適な実施形態では、サーボ増幅器ネットワーク４６１は、ブラシレスＤＣモーターを高い切替周波数で駆動するよう規定されているＢＥ３０ＡシリーズＰＷＭブラシレスサーボ増幅器型番ＢＥ２５Ａ２０である。好適な実施形態では、サーボ増幅器は、速度制御のための直交エンコーダフィードバック入力信号を使用している。サーボ増幅器は、全体を符号４６１ａで示している出力駆動ポートと、フィードバック信号入力ポート４６１ｂと、速度制御信号入力ポート４６１ｃと、一対のアナログ出力信号ポート４６１ｄ及び４６１ｅ、それぞれを有している。出力ポート４６１ｄは、サーボ増幅器内で発生した、モーター４６０の圧力又はトルクに比例する電圧信号を搬送すると共に、「アナログ電流ライン」と称する出力フィードバックラインに信号を供給する。出力ポート４６１ｅは、サーバ増幅器内で発生した、モーター４６０の速度に比例する電圧信号を搬送すると共に、「アナログ速度」と称するラインに信号を供給する。光学直交エンコーダ（図１２には図示せず）は、注入器モーター４６０（及び図１１に符号４６３で表示）の出力ドライブに作動的に接続されており、サーボ増幅器４６１のフィードバック入力ポート４６１ｂにパルス列フィードバック信号を返し、サーボ増幅器４６１を通してモーター４６０の正確な速度制御を提供している。このループは、図中、第１ループ又は「サーボループ」と呼ばれている。この好適な実施形態では、サ
ーボ増幅器４６１は、この標準的なサーボループ構成を通して注入器モーター４６０の速度の非常に正確な制御を提供し、且つそれ以上の制御は殆ど必要としない、市販の増幅器である。直交エンコーダ信号は、更に、符号４７２で示す信号調整用デコーダ回路を通して一対のカウンタ４７３と４７４にフィードバックされ、それらカウンタは、それぞれ累積カウント信号を、内蔵プロセッサ４１２とＰＣプロセッサ４１０それぞれに供給する。サーボ増幅器４６１の出力ポート４６１ｄと４６１ｅそれぞれからのアナログ電流及びアナログ速度信号は、内蔵プロセッサ４１２に入力信号として直接送られ、「モーター状態速度超過トルク超過」機能ブロック４６２のコンパレータ４６２ａと４６２ｂの第１信号入力にそれぞれ適用される。コンパレータ４６２ａと４６２ｂの基準信号入力は、ＰＣプロセッサ４１０から、「トルク基準」及び「速度基準」入力信号に対応している入力信号を受け取るために接続されている。
【０１０９】
コンパレータ４６２ａと４６２ｂは、それぞれ、サーボ増幅器４６１から受け取ったフィードバック信号を、ＰＣプロセッサ４１０から受け取った基準電圧信号と比較して、図１２に表示しているように、内蔵プロセッサ４１２とＰＣプロセッサ４１０の両方にそれぞれ「トルク超過」と「速度超過」を表す信号出力を供給する。
【０１１０】
注入処置時、マスターＰＣプロセッサ４１０は、内蔵プロセッサ４１２に注入を行うよう指示する。このコマンドの一環として、内蔵プロセッサは、ＰＣプロセッサに、望ましい流量と最大圧力許容条件が何かを教えられる。ＰＣプロセッサは、注入コマンドを発行する直前に、２つのコンパレータ４６２ａと４６２ｂに基準電圧値を設定するが、一方の値は、内蔵プロセッサが実施を許される最大流量を表しており、他方の値は、最大許容圧力を表している。注入中、サーボ増幅器４６１からの「アナログ電流」と「アナログ速度」フィードバック信号は、コンパレータ４６２ａと４６２ｂにフィードバックされる。それらフィードバック信号電圧の何れかがコンパレータの各基準電圧を超過した場合、トリガされたコンパレータによって適切な出力信号が両プロセッサに返される。何れかのプロセッサがコンパレータから一方又は両方の信号を受け取った場合、プロセッサは注入器モーター４６０への電力を切り、直ちに注入を停止する。
【０１１１】
注入中、内蔵プロセッサ４１２は、ラム又はシリンジピストンの現在位置を求めるためにデジタルエンコーダ４６３を使用する。好適な実施形態では、注入された造影剤１ミリメートル毎に、エンコーダ４６３から１，３１７カウントを受け取る。注入中にピストンが動くと、内蔵プロセッサは、１０ミリ秒毎に、ラム又はピストンの現在位置を見る。次いで、内蔵プロセッサは、単純な台形型運動に基づいてラムの理論的な位置を計算する。現在位置が、実際の位置から事前に決められているミリメートル数よりも大きくずれている場合には、注入は停止されエラーが報告される。
【０１１２】
「アナログ位置」信号を提供するポテンショメータ４６４は、同様の様式で使用されるが、その許容誤差はより大きい。ラム又はピストン運動の較正中、システムは運動距離ミリメートル当たりのオーム数を表す定数を計算する。注入中、内蔵プロセッサは、ピストンの理論的な位置を求めるために、同じ理論的台形運動を使用する。デジタルエンコーダ処理の場合と同様に、ラムの現在位置が、実際のアナログ位置示度から事前に決められたオーム数よりも大きくずれている場合には、注入は停止されエラーが報告される。
【０１１３】
従って、モーター４６０の一次直接サーボフィードバックループ制御が、デコーダ回路４７２とカウンタ４７３と内蔵プロセッサ４１２を通してサーボ増幅器４６１の信号入力端末４６１ｃにフィードバックされるエンコーダ信号を通して提供される「エラーループ」制御により補完される、入れ子式ループ制御ネットワークが確立されている。第１又は「サーボループ」は、比例積分を使用する標準的な速度制御ループであり、一方、外側の「エラーループ」は、確実に、サーボループが正確にモーター速度を制御しているように
するために、サーボループ制御を周期的に調べるだけの位置制御ループである。モーター４６０のギヤ列出力に作動的に接続されているポテンショメータは、単にエンコーダループに対するバックアップの役目を果たすだけの絶対位置センサである。同様に、カウンタ４７４を介してのＰＣプロセッサ４１０に対するエンコーダフィードバックは、内蔵プロセッサ４１２が、二次「エラーループ」を介して速度補正信号を提供する際に、万一、その意図されたやり方で動作するのに失敗した場合に、内蔵プロセッサ４１２を介する一次エラーループ制御に対する冗長的バックアップの役目を果たす。
【０１１４】
上で簡単に説明したように、複数のプロセッサを利用できることによって、両方の感知回路の知性を使用した真の多重冗長感知能力が提供されている。また、二重又は複数プロセッサの特性は、注入モーター運動及び蠕動モーター運動の様な、システムのキー的機能の冗長制御及び安全特性監視の能力を提供している。これらの状態は共に、上で説明し、図１１と図１２に示すように、両マイクロプロセッサによってアクティブに監視される。例えば、注入モーターの「速度超過安全回路」は、直交エンコーダ４６３がデコーダ回路４７２と一対のカウンタ４７３及び４７４を通して２つのプロセッサに信号を送ることによって提供される。エンコーダ情報を受け取るために２つの独立したプロセッサを使用するのは、内蔵プロセッサとＰＣプロセッサが共にパルスを計数して注入流量が求められることから、流量を感知する安全回路の役目を果たす。上で述べたように、個々のカウントは指定された時間間隔に亘って累積され、平均速度が算出される。安全特性は、速度超過状態が起きたときは、何れのプロセッサも自身の決定能力に基づいて注入器モーターを独立してシャットダウンすることができるという事実によって提供される。この様な冗長的感知経路二重プロセッサ制御によって、１つの構成要素が故障したときでも安全監視ができるようになる。
【０１１５】
同様に、「量超過安全回路」が、速度超過安全回路を提供するのに使用されているのと同じハードウェアによって提供されている。カウンタ４７３及び４７４を介して、エンコーダから内蔵プロセッサとＰＣプロセッサに供給されるパルスは、両プロセッサが独立してパルスを数え、注入量を判定することができるようにしている。量超過状態が起きたときは、何れのプロセッサも独立して注入器モーターをシャットダウンすることができる。
【０１１６】
複数のプロセッサを必要としない更なる二元安全特性が、ポテンショメータ４６４から受け取る「アナログ位置」信号によって提供されており、これは、内蔵プロセッサが、ポテンショメータからのアナログ電圧出力の変化を読み取ることによって量を調べることができるようにしている。ポテンショメータを直交エンコーダのバックアップとして提供することによって、注入量を感知するための更なる二重冗長安全性が提供されている。
【０１１７】
二重冗長モーター安全回路は、注入器モーター「電流超過」及び「速度超過」状態について先に説明した様に設けられている。それらの回路は、コンパレータ４６２ａ及び４６２ｂに関して先に説明した。コンパレータ４６２ａは、サーボ増幅器４６１からの「アナログ電流」フィードバック信号を使用して、内蔵プロセッサとＰＣプロセッサの両方に二重入力信号を供給し、二重プロセッサ電流測定安全回路感知を提供する。同様に、コンパレータ４６２ｂは、サーボ増幅器４６１からの「アナログ速度」信号の結果として、両方のプロセッサに二重入力信号を適用し、注入器モーター速度の二重冗長感知を提供する。
【０１１８】
同様の安全回路が、蠕動ポンプ４４’の制御のために提供されている。図１１に示すように、蠕動ポンプも、速度超過／トルク超過ネットワーク４５１を含んでいる。この好適な実施形態では、蠕動ポンプ４４’は、注入器モーターの様なブラシレスモーターではなく、ＰＷＭ制御回路４５０からパルス幅変調入力信号を受け取る。ポンプモーター４４’は、バックＥＭＦを発生させ、これは、感知され、モータードライバ回路４５０からの出力電流と共にフィードバック信号として使用される。蠕動ポンプ安全回路の電気ブロック
図表示を図１３に更に詳しく示している。本図では、ＰＣプロセッサ及び内蔵プロセッサは、それぞれ符号４１０及び４１２で表示されている。図１３に示す安全回路は、注入器モーターの速度と電流の感知に使用されているものと実質的に同じである。速度超過／トルク超過ネットワーク４５１の一対のコンパレータ４５１ａ及び４５１ｂは、注入器モーターの安全回路に関して先に説明したコンパレータ４６２ａ及び４６２ｂと同様のやり方で使用されている。コンパレータ４５１ａは、両方のプロセッサにトルク超過出力信号を供給し、コンパレータ４５１ｂは、両方のプロセッサに速度超過入力信号を供給する。コンパレータ４５１は、ＰＣプロセッサ４１０からトルク基準電圧信号を受け取り、コンパレータ４５１ｂは、プロセッサ４１０から速度基準電圧信号を受け取る。コンパレータ４５１ａは、モータードライバネットワーク４５０からの電流出力信号を監視し、監視している電流出力信号がプロセセッサ４１０から供給されたトルク基準信号を超えた場合は何時でも出力信号を供給する。コンパレータ４５１ｂは、モーター４４’からのバックＥＭＦ信号を監視し、バックＥＭＦ信号がプロセッサ４１０により適用されている速度基準電圧信号を超えた場合は何時でも出力信号を供給する。内蔵プロセッサ４１２は、一次駆動制御信号をモータードライバ４５０に供給する。
【０１１９】
図９に示す発明の実施形態では、システムとの全オペレータ／ユーザーのインターフェースは、電源装置をオンにすることと非常停止スイッチの起動以外は、制御パネルを通して行われる。システムの一方又は両方のプロセッサとの通信は、表示装置４３３にオーバーレイされているタッチスクリーン４３２上のスイッチを通して行われる。コンピュータは、表示装置上に、スイッチ表示をタッチスクリーン上のタッチパッドと整列させて適切にシミュレートした様々な画面を生成し、オペレータがタッチスクリーンを通してマイクロプロセッサと通信できるようにしている。パワーがシステムに対して初期化されると、制御パネル表示装置は、ユーザーに、システムが自己診断テストを行っていることを連絡する。診断及び較正テストに続き、表示装置は様々な設定ウインドウを表示し、オペレータに一連の指示を与えて、段階的な設定手続きを通してオペレータを案内してゆくが、これには、一般的に、シリンジ装填、係止及び充填、使い捨て接続、部及び洗浄が含まれている。
【０１２０】
ＰＣプロセッサにより生成され、パワーアップ、較正、及び自己診断機能をユーザーに表示するサンプル画面を図１４から図１７に示している。各図を参照すると、初期パワーアップ画面が図１４に示されている。この画面は、システムが全ての機能が正常に作動することを確かめるために初期診断チェックを実行している間、見えている。システムは、次いで、自動的に、設定及び較正を開始する。図１５の画面は、シリンジラムが後方位置に動くと現れ、その後、図１６の画面が表示されて、オペレータにどのようにシリンジアッセンブリを装填するかを指示する。シリンジ装填手順が完了すると、オペレータは図１６のタッチスクリーン上の「完了」パッドを押す。システムは、これで、「設定」手続きを開始する準備が整っており、シリンジラムが前方位置に動いている間、図１７の画面を表示する。
【０１２１】
図１８の画面で「設定」指示が開始される。本図に示すように、オペレータは、システムの配管アッセンブリ部分をどのように装填するかについて、段階的なやり方で指示を受ける。オペレータは、図１８で特定されたステップを完了すると、「完了」スイッチを押すことによってタッチスクリーンを作動させ、図１９の画面に表示されているステップに進む。図１９の画面は、圧力ドーム、マニホルド、及び流体配管の洗浄動作を含んでいる。それらのステップが完了し、「完了」スイッチを作動させると、図２０の設定指示画面が表示される。画像２０は、システムの圧力変換器及びポンプアッセンブリを取り付けるための指示を提供する。図２０の画面品目を完了し「完了」スイッチを作動させると、図２１の画面の設定指示が表示される。図２１のステップが設定指示を完了し、オペレータが図２１の画面の「完了」スイッチを作動させると、システムはシリンジを充填する準備
が整う。なお、図１８から図２１までの画面上に含まれている設定ステップの全ての段階の間、オペレータには、画面上の「Back」スイッチを押すことによって前の画面に戻るというオプションがあることを指摘しておく。
【０１２２】
設定指示が完了すると、システムがシリンジの充填を進める前に、オペレータは図２２の画面の「ＯＫ」スイッチを作動させねばならない。「ＯＫ」スイッチが作動すると、システムは、自動充填及び空気抜き動作に進む。シリンジピストンがシリンジの後方に引かれ、造影剤がシリンジの中に引き入れられると、図２３の画面が表示される。次いで、ピストンが方向を変え前方に動き始めると、空気がシリンジの上側ポートから追い出され、その間、図２４の画面が表示される。シリンジピストンは、患者マニホルド内の下側弁が動く前に自動的に停止する。シリンジの空気抜き動作に続き、図２５の画面が表示され、オペレータに、シリンジの下側ポートからシステムの高圧配管までの配管の空気抜きをどのように進めるかについて指示を供給する。配管の空気抜きをするために、オペレータは、図２５の画面の「空気抜き」スイッチを押して保持し、空気及び気泡がシリンジと患者マニホルドの間の配管から押し出されて、患者マニホルドの前方／先端部から出て高圧配管に入っていく空気抜き過程を目視観察せねばならない。この手続きが完了すると、オペレータは図２５の画面の「空気抜き」スイッチを放して「完了」スイッチを作動させる。オペレータが「空気抜き」スイッチを押すと、図２６の画面が表示される。オペレータが「空気抜き」スイッチとの接触を解くと、図２５の画面が再び現れる。図２５の「完了」スイッチを作動させると、図２７の表示画面が表示されることになる。
【０１２３】
図２７の処理ステップは、最終的な生理食塩水洗浄手続きに関係する。オペレータが図２７の画面の「洗浄」スイッチを押すと、システムは生理食塩水袋から止水栓までの配管を洗浄して、確実に配管内に気泡が存在しないようにする。オペレータが図２７の画面の「洗浄」スイッチを押し続ける限り、図２８の画面が表示されることになる。最終的な生理食塩水洗浄手続きが完了すると、オペレータは図２７の画面の「洗浄」スイッチを放して「完了」スイッチを押し、図２９の表示画面を表示させる。図２９の画面は最終的な起動画面である。図２９の画面の指示の完了に続き、オペレータが表示装置の「完了」スイッチを作動させ起動手続きを完了すると、システムはここでカテーテルへ接続される準備が整ったことになる。
【０１２４】
上で説明した起動手続きが首尾よく完了すると、システムは、全体を図３０に示す主画面を表示する。その或る好適な構成の制御パネルの主表示画面は、図３０に示すように各区画に分割されている。表示画面のフォーマット動作の全ては、ＰＣマイクロプロセッサ４１０によりその制御下で提供されると理解頂きたい。図３０を参照すると、画面の右側に沿って縦方向に４つの「機能キー」が並んでおり、それぞれ「注入」（５００）、「生理食塩水」（５１０）、「吸引」（５０２）、及び「空気抜き」（５０３）と規定されている。上記４つの機能ソフトキーのアイコンは、オペレータが、機能キーの中の選択したキーを押して、選定した機能の状態ウインドウを立ち上げることができるように、タッチスクリーン４３２の適切なスイッチパッドと整列している。状態ウインドウは符号５０５で示されており、インジケータウインドウは符号５０６に配置されている。状態ウインドウは、システムメッセージを表示するため、及びシステムの動作の状態に関してユーザーにフィードバックを提供するために使用される。状態インジケータウインドウ５０６は、キーシステムセンサがアクティブ状態のときにそれらを表示する。
【０１２５】
ＬＣＡ（左冠状動脈）５０８、ＲＣＡ（右冠状動脈）５０９、及びＬＶ／Ａｏ（左心室／大動脈）５１０と表示されている「注入型式」又は「注入選択」キーは、機能キーの上方に配置されており、行われる注入処置の型式に関するオペレータ入力を提供する。注入型式は、上記３つの型式ボタンの内の１つを押すだけで変更することができる。新しい型式が選択されると、選択された型式に対するデフォルトパラメータ値が計算され、パラメ
ータキーに表示される。好適な実施形態（以下に詳細を記載）では、注入パラメータは、治療される患者の体重の様な実際の値に基づいて計算される。選択された注入キーの言葉表示が表示画面の一番上に表示される。図３０に示すサンプル画面では、ＬＣＡキーが選択されており、それに関わる表示「左冠状動脈」が画面の一番上に表示されている。
【０１２６】
以下のアイコン表示、即ち、「流量」「注入量」「注入圧力」及び「立ち上がり時間」のパラメータは、注入状態ウインドウが開いている間、又は設定手続き中に、所望のパラメータのアイコンを押すことにより変えることができる。注入パラメータ／限界キーは、表示画面の一番上に沿って配置されている。
【０１２７】
「流量」ウインドウ５１２は、手持ち式遠隔制御器が一杯に押された場合に得ることができる最大流量を表示する。流量の単位はｍｌ／秒である。「注入量」パネル５１３は、一回の注入の間に注入できる総量限界を表示する。このパラメータの単位はｍｌである。「注入圧力」ウインドウ５１２は、注入の間に許容されるシリンジ内の最大圧力を表示する。この圧力に達すると、警告灯が点き、注入流量は表示圧力に制限される。圧力の単位はｐｓｉである。「立ち上がり時間」ウインドウ５１５は、注入の間に許容される最大立ち上がり時間を表示する。立ち上がり時間の単位は秒である。
【０１２８】
システムは、米国特許第５，８００，３９７号「自動高／低圧力切替を備えた血管造影注入器システム」に記載されているように、シリンジを自動的に或いは手動で補充する独自の能力を有しており、同特許を参考文献としてここに援用する。「補充」キーは、表示画面の「オプション」部分を構成している表示画面の最下部分に配置されている。全体を符号５１７で示している補充キーは、取扱症例中又は処置中、何時でも、所望のアイコンを押すだけでリセットされる。
【０１２９】
全体的に「速度形式」キーと表示されている第２のオプションキーは、符号５１８に配置されており、注入処置を、「固定」速度、又は遠隔手持ち式制御器１４’でリアルタイムで制御できる「可変」速度の何れかに選択できるようにしている。
【０１３０】
プロセッサは、注入処置の間に存在する瞬間的な状態に関するリアルタイムの情報をユーザーに提供する。それら状態は、図３１のサンプル画面に示している状態ウインドウ５０５内に表示される。表示パネルは、更に、「前回注入」ウインドウ５２０内に前回の注入の結果を表示する。前回の注入結果には、実施された前回の注入の「総量」と「最大流量」が含まれている。表示パネルは、更に、現在の取扱症例で患者に注入された造影剤の累積合計量を、「総造影剤量」表示ウインドウ５２２に表示している。前回注入及び総造影剤量表示ウインドウは、表示画面の左下部分付近に配置されている。総造影剤量表示は、或る取扱症例の処置には数多くのシリンジ充填処置が関与することから、注入処置中に瞬間的に入手可能となる重要な情報を提供する。更に、そのような充填処置は、シリンジの総充填又は単に部分的な充填の何れを表してもよい。先行技術の技法は、連続した注入過程に亘って患者に投与された造影剤の総量の記録を維持することについては、オペレータ／ユーザーに依存している。注入された造影剤の量の正確な累積合計が維持できていないと、結果的に、患者に注入物質が過剰投与される恐れがある。
【０１３１】
この好適な実施形態では、「患者体重」と表示されている表示ウインドウ／キーが符号５２４に示されている。この好適な実施形態では、この表示ウインドウは、現在の患者の体重を表示する。このキーを選択すると、ユーザーは患者の体重をキログラムでシステムに入力することができる。患者の体重は、注入値と限界を計算するのに使用される（以下に詳細を記載）。
【０１３２】
表示パネルの最後のキーは、表示パネルの左下部分付近に配置されている「取扱症例終
了」キー５２６である。このキーを作動させると、ユーザーは、システムのシャットダウン前、又は新しい取扱症例の開始前に、正しいステップを踏むよう促される。
【０１３３】
非常ボタン又はスイッチ４３４（図１１）は、制御パネルの右上部分に物理的に配置されている。これは、（電源スイッチを除けば）表示画面上に配置されていない唯一の機能スイッチである。非常スイッチは、進行中の全機能を使用禁止にし、状態ウインドウ内に非常ボタンが押されたというメッセージを表示する。非常ボタン又はスイッチは、交互作用型式のスイッチである。押されるとボタンが点灯する。スイッチを切るには、ユーザーはボタンを再度押さねばならない。
【０１３４】
注入限界は、所望のパラメータのキー（５１２〜５１５）を押すことによって変えることができる。注入（キー５１８）が「固定」モードに設定された場合、ユーザーに対して状態ウインドウ内にキーパッドが提示される。この状態を図３２に示している。ここで、新しい値を入力することができる。この新しい値は、プロセッサによって、選択された注入の型式にとって許容可能な範囲内であるか否か調べられる。入力値が許容可能範囲外である場合、この事実を示すメッセージがユーザーに表示される。「キャンセル」キーが押されると、前に設定された値がそのまま残る。注入オプション（キー５１８）が「可変」モードに設定されると、ユーザーの選択に備えて６つの異なる値の選択肢が状態ウインドウ内に表示される。この状況に対応するサンプル表示ウインドウを図３３に示している。「キャンセル」キーが押されると、前に設定された値がそのまま残る。
【０１３５】
注入は、「注入」ボタン又はキー５００を押すことによって開始される。ＬＶ／Ａｏ（大注入ボタン）が選択されると、ユーザーはこれを確認するように求められる。このＬａ／Ａｏ注入処置は、多量の造影剤の使用を表し、一方、ＲＣＡ注入処置は、最少量の造影剤を使用する。次いで、ユーザーは、表示装置上のプロンプトによって、注入の「引き金を引く」のがＯＫであるか否かを尋ねられる。ユーザーは状態ウインドウの「ＯＫ」キーを押さねばならない。この時点で、要求された注入を行うのに十分な造影剤がシリンジ内に無い場合には、システムは補充を促す指示を出す。補充は、「補充」オプションキー５１７の状態次第で自動又は手動になる。量レベルが正しい時には、ユーザーは、手持ち式制御器１４’を作動させて、注入処置を開始するよう促される。
【０１３６】
注入量が限界量の１０％未満である場合は、注入回数は増加せず、手持ち式制御器は注入の引き金を引いた状態を保ったままである。「大」注入の場合、ユーザーは、別の注入が許可される前に「大ＯＫ」を再度押すように求められる。ユーザーは、画面上の何れかのキーを押して注入機能から出る。
【０１３７】
「生理食塩水」キー５０１を作動させると開始される生理食塩水洗浄機能は、生理食塩水袋から生理食塩水を引き出し、使い捨て接続部及び配管接続部を洗浄する。この機能が開始されると、「生理食塩水洗浄」状態ウインドウが、「洗浄」キー及び「完了」キーと共に表示されることになる。「洗浄」キーを押すと、使い捨て部分が生理食塩水で、長くて１０秒間又はユーザーがキーを押すのを止めるまで、洗浄される。ウインドウ内の「完了」ボタンを押すと、洗浄処理が終了し、ユーザーは「主」画面に戻ることになる。
【０１３８】
吸引機能は、配管の流体をカテーテルから使い捨て部を介して廃棄物袋の中へと引き込む。これは、配管内に気泡が検出されると、それら気泡を除去するために使用される。吸引機能は、「吸引」ボタン又は表示パネル上のキー５０２を選択することによって開始される。「吸引」状態ウインドウが画面上に表示される。「吸引」キーを押すと、「吸引」キーが押されている間、長くて１０秒間、配管の流体は使い捨て部を通り廃棄物袋の中に引き込まれる。「完了」ボタンを押すと、ユーザーは「主」画面に戻ることができる。
【０１３９】
使い捨て部から空気を流し出すには手動空気抜き機能が使用される。空気抜きを行う際には、シリンジ空気抜きと配管空気抜きの２つの選択肢がある。シリンジ空気抜きは、シリンジから空気を抜くことが関わっており、シリンジから空気が抜かれ、流体がシリンジ逆止弁を押して閉じると停止される。配管空気抜きは、シリンジから患者マニホルドを通して止水栓まで空気を抜く。この方法は、使い捨て部を通して造影剤を送り、気泡検出装置を切り離す。この空気抜きは、シリンジの患者マニホルド及び患者マニホルド弁の前部に対する相互接続部から空気を追い出すため、システム始動時に行われる。処置中、吸引洗浄処置を試行した後、使い捨て部内に気泡が残っている場合にも、配管空気抜きが使用される。「空気抜き」機能にアクセスするには、「主」画面から「空気抜き」キー５０３を選択する。「空気抜き」状態ウインドウが表示される。画面上には、「シリンジ」「キャンセル」「配管」の３つのオプションが提示される。「キャンセル」を選択すると、「主」画面に戻る。「配管」を選択すると、ユーザーは患者を切り離すよう警告される。ユーザーは、このことを「オーケー」キーを押すことによって認知せねばならない。この時、又は「シリンジ」を選択した場合、「空気抜き」キー及び「完了」キーがウインドウ内に表示される。「空気抜き」キーは、押して保持する型式のキーであり、押すと空気抜きを開始し、ユーザーがキーを放すまで、長くて１０秒間、配管又はシリンジを通して空気抜きを続ける。空気が完全に抜かれて造影剤弁が首尾よく閉じられると、空気抜きは自動的に停止する。弁が閉じる前にユーザーが空気抜きを停止すると、空気抜きが完全でない旨のメッセージが表示される。画面上の「完了」キー又は何れか他のキーを押すと、空気抜き機能から外に出る。手動空気抜き機能のサンプル画面を図３４に示している。
【０１４０】
キー５１７によって自動補充オプションが選定されると、所望の注入量限界に対してシリンジ内に十分な造影剤が無い場合は、シリンジは１１０ｍｌまで自動的に補充される。これは、注入時に自動的に起こる。手動補充が選定されると、「補充」状態ウインドウが表示される。このウインドウでは「空気抜き」キー、「完了」キー、及び「補充」キーがアクティブである。「補充」キーを押し、そのまま押し続けると、プランジャが引き戻され、シリンジが充填される。充填されるとシリンジ内の現在の造影剤量が表示される。「補充」ボタンを放すと、補充動作は中断する。「空気抜き」キーを押すと、「空気抜き」キーが押されている間だけ、空気と流体がシリンジから追い出される。「完了」ボタンを押すと、ユーザーは「主」画面に戻される。それでも限界の注入値を満たすだけの造影剤がシリンジに無い場合には、「補充」状態ウインドウが注入時に再び開く。手動補充動作のサンプル画面を図３５に示している。
【０１４１】
取扱症例を終了する場合は、「取扱症例終了」ボタン５２６をアクティブにする。状態ボックス内には「キャンセル」キーと「終了」キーが表示される。「キャンセル」キーを選択すると、ユーザーは「主」画面に戻る。「終了」キーを選択すると、取扱症例終了手続きが開始される。高圧配管が切り離され、造影剤容器がレセプタクルから取り外されると、「造影剤無し」インジケータが現れる。次に、「完了」ボタンを押すか又は選択すると、プランジャはシリンジ本体から自動的に引き出され、室の係止を解いて開放することにより、シリンジをシステムから取り外すことができるようになる。
【０１４２】
先行技術のシステムでは、治療を受ける患者の値又は特性に直接関係しているデフォルト注入パラメータの自動化された判定は提供されていない。その様な特性としては、その人の体重、年齢、健康、脈管の頑強性、カテーテル寸法などが挙げられる。例えば、先行技術のシステムは、特定の患者又は特定の処置について医師が記憶させた、その医師の選定した代表的な注入パラメータを表す記憶されている注入パラメータ値についてのメモリ呼び出し機能を含んでいる。本発明の各種実施形態は、注入処置の直前に提案されるデフォルト注入パラメータ値を求めるための自動化された方法を提供しており、それら注入パラメータ値は、治療を受ける患者の値又は状態に直接関係している。この方法の或る好適な実施形態の実例では、注入パラメータデフォルト値は、患者の「体重」を使用して計算
される。しかしながら、上で述べたように、デフォルト値計算の作成には、他の固有の患者係数を使用してもよい。患者の体重に基づくデフォルト注入パラメータの好適な実施形態による判定では、システムが実行することのできる３つの異なる型式の注入（即ち、ＬＣＡ、ＲＣＡ、又はＬＶ／Ａｏ）に対応して、３つの異なる組の式又はアルゴリズムが使用されている。ＬＣＡ（左冠状動脈処置）では、４つの注入パラメータデフォルト値を求めるために使用された数式は、
ＬＣＡ流量限界＝３．５Ｌｎ（体重）−７．６                        式１
ＬＣＡ量限界＝５．１７Ｌｎ（体重）−１１                          式２
ＬＣＡ立ち上がり時間＝（流量＋１０）／１００                      式３
ＬＣＡ圧力限界＝（流量＋２０）２５                                式４
である。
【０１４３】
表１は、選択された患者体重に対して式１から４により求めた計算されたデフォルト注入パラメータ値の一覧を提示している。
【０１４４】
【表１】
0005465712.tif 000002
【０１４５】
ＲＣＡ（右冠状動脈処置）の好適な実施形態のデフォルト注入パラメータを、式５から８：
ＲＣＡ流量限界＝２．１Ｌｎ（体重）−４．８                        式５
ＲＣＡ量限界＝２．７Ｌｎ（体重）−６                              式６
ＲＣＡ立ち上がり時間＝（流量＋１０）／１００                      式７
ＲＣＡ圧力限界＝（流量＋１５）２５                                式８
により求めた。
【０１４６】
表２は、選択された患者体重に対して式５から８により求めた４つの注入パラメータの値の一覧を提示している。
【０１４７】
【表２】
0005465712.tif 000003
【０１４８】
好適な実施形態では、ＬＶ／Ａｏ注入選択（左心室／大動脈処置）のデフォルト注入パラメータ値を、式９から１２により計算した。
ＬＶ／Ａｏ流量限界＝７Ｌｎ（体重）−１６                          式９
ＬＶ／Ａｏ量限界＝２２Ｌｎ（体重）−４６                          式１０
ＬＶ／Ａｏ立ち上がり時間＝（流量＋１０）／１００                  式１１
ＬＶ／Ａｏ圧力限界＝６０（流量）＋２００                          式１２
【０１４９】
表３は、選択された患者体重に対して式９から１２により求めたデフォルト注入パラメータ値を示している。
【０１５０】
【表３】
0005465712.tif 000004
【０１５１】
図３６は、体重１０〜１３０ｋｇの患者に関し、左冠状動脈、右冠状動脈、及び左心室／大動脈機能について、それぞれ式１、５、及び９に基づいて求められた流量限界のデフォルト注入パラメータ値の対比グラフである。
【０１５２】
図３７は、体重が１０〜１３０ｋｇの範囲にある患者に関し、それぞれ左冠状動脈、右冠状動脈、及び左心室／大動脈選択について、式２、６、及び１０に基づいて計算された量限界デフォルト注入パラメータ値の対比グラフである。
【０１５３】
患者の（体重の様な）固有の特性に基づいてデフォルト注入パラメータ値を自動的に求めることにより、特定の患者に対する正しいデフォルトパラメータの選択に関係する推量因子を最小化することができ、注入処置の間の患者の状態の変化に対応したデフォルトパラメータを求める方法が提供され、そうでなければ、正しい注入パラメータデフォルト値を選択し又は求めるために、注入処置を統括している医師又はオペレータが頼らねばならない補助チャート及びグラフの必要性が無くなることが理解頂けよう。
【０１５４】
従って、特定の注入処置に関する一組のデフォルト注入パラメータ値を求めるために、ユーザーは、選択ボタン５０８〜５１０で提供される３つの注入選択肢の内の１つを選択して、患者体重ウインドウ５２４に患者の体重をキログラムで入力するだけでよい。このプロセスのフローチャートを図３８に示している。本図を参照すると、行われる注入の型式の初期選択を含む初期設定プロセス（ブロック５３０）の後、オペレータは、患者の体重を入力する（ブロック５３１）。マイクロプロセッサは、選択された注入処置（即ち、ＬＣＡ、ＲＣＡ、又はＬＶ／Ａｏ）に基づき、且つ表示パネルを通してシステムに入力された患者の体重に基づき、そのための適切なアルゴリズムを使用することによってデフォルト注入パラメータを自動的に求める（ブロック５３２）。次に、計算されたデフォルト注入パラメータ値が、主画面上に表示され（ブロック５３３）このプロセスが完了する。オペレータには、求められた値を変更するオプションがあるが、殆どの用途では、デフォルト値に対する変更は一切要らないであろう。
【０１５５】
図３９Ａから図３９Ｃは、１つの実施形態によるデュアルシリンジ造影剤注入システム
の図である。図３９Ａは、システム６００の斜視図である。図３９Ｂは、システム６００の、各種内部構成要素を示している図である。図３９Ｃは、システム６００の一部の上面図である。これらの図に示しているシステム６００は、制御パネル６０２と注入ヘッド６０４と電源装置（図示せず）を含んでいるデュアルシリンジシステムである。第１薬液リザーバー６１０は注入ヘッド６０４に取り付けられており、第２薬液リザーバー６０６も注入ヘッド６０４に取り付けられている。１つの実施形態では、リザーバー６１０は、滅菌造影剤のボトルを備えており、リザーバー６０６は、生理食塩水の様な滅菌希釈剤の袋を備えている。
【０１５６】
注入ヘッド６０４は、各種の副構成要素を備えている。例えば、注入ヘッド６０４は、小型表示器６０８、第１及び第２シリンジ／プランジャアッセンブリ６１４ａと６１４ｂ、第１及び第２弁／空気検出アッセンブリ６１２ａと６１２ｂ、及びアッセンブリ６２０を含んでいる。アッセンブリ６２０は、第３及び第４弁／空気検出アッセンブリを含んでいる。１つの実施形態では、それらアッセンブリに使用されている弁はピンチ弁を備えている。それらピンチ弁は、ソレノイド、空圧式、及び／又は他の形態の駆動機構により作動する。注入システム６００は、流体を、リザーバー６１０から管６１６ａを介して第１シリンジ／プランジャアッセンブリ６１４ａの中に引き込むことができ、更に、流体を、リザーバー６０６から管６１６ｂを介して第２シリンジ／プランジャアッセンブリ６１４ｂの中に引き込むことができる。管６１６ａは、第１弁／空気検出アッセンブリ６１２ａを通って走っており、管６１６ｂは、第２弁／空気検出アッセンブリ６１２ｂを通って走っている。管６１６ａの、アッセンブリ６１２ａを通って走っている部分を覆うのにドア６１３ａが使用されており、管６１６ｂの、アッセンブリ６１２ｂを通って走っている部分を覆うのにドア６１３ｂが使用されている。１つの実施形態では、ドア６１３ａと６１３ｂは、透明又は半透明であり、それぞれ、各ピンチ弁／空気検出アッセンブリの外側縁に（開閉のために）ヒンジ付けされている。１つの実施形態では、ドア６１３ａとドア６１３ｂは、それぞれ、各弁／空気検出アッセンブリの内側縁にヒンジ付けされている。
【０１５７】
アッセンブリ６１４ａは、薬液を出力管６１８ａの中に押し出すことができ、アッセンブリ６１４ｂは薬液を出力管６１８ｂの中に押し出すことができる。出力管６１８ａは、第３弁／空気検出アッセンブリを通って走っており、出力管６１８ｂは第４弁／空気検出アッセンブリを通って走っている。出力管６１８ａの、第３アッセンブリを通って走っている部分を覆うのにドア６２２ａが使用されており、出力管６１８ｂの、第４アッセンブリを通って走っている部分を覆うのにドア６２２ｂが使用されている。１つの実施形態では、ドア６２２ａと６２２ｂは、透明又は半透明であり、それぞれ、開閉のためにアッセンブリ６２０の外側縁にヒンジ付けされている。１つの実施形態では、ドア６２２ａと６２２ｂは、それぞれ、開閉のためにアッセンブリ６２０の上面部分の共通のヒンジアッセンブリに連結されている。
【０１５８】
１つの実施形態では、空気検出器は、気柱検出器を備えている。空気検出器は、１つの実施形態によれば、気泡を検出することもできる。
システム６００は、更に、主制御パネル６０２に加え小型制御パネル６０８も含んでいる。システム６００のオペレータは、注入処置開始に先立ち、注入処置の１つ又はそれ以上のパラメータを設定するのに主制御パネル６０２を使用する。オペレータは、注入処置中に、処置の１つ又はそれ以上の態様、パラメータなどを変更するのにも主制御パネル６０２を使用し、又は注入処置を一時停止し、再開し、又は終了し、新たな処置を開始するのにもパネル６０２を使用する。制御パネル６０２は、流量、量、圧力、立ち上がり時間、処置型式、流体情報、及び患者情報の様な、様々な注入関連情報もオペレータに表示する。１つの実施形態では、主制御パネル６０２は、注入ヘッド６０４に電気的に連結された状態で、患者テーブルに接続されている。この実施形態では、オペレータは、パネル６０２により提供されている全ての機能性へのアクセスを確保しながら、主パネル６０２を
所望の場所に手で動かすことができる。
【０１５９】
１つの実施形態では、小型パネル６０８は、主パネル６０２により提供されている機能のサブセットを提供している。例えば、オペレータは、注入器設定を管理するのに小型パネル６０８を使用する。オペレータは、注入器の設定を管理するのに小型パネル６０８と対話する。小型パネル６０８は、この処理を支援するガイド付き設定指示を表示する。小型パネル６０８は、オペレータを支援するために或る特定のエラー及びトラブルシューティング情報も表示する。例えば、小型パネルは、オペレータに流体リザーバー及び／又はシリンジ内の造影剤又は生理食塩水の液面レベルが低くなっていることを警告する。１つの実施形態では、小型パネル６０８は、独自の表示機能性及び／又は主パネル６０２に関する追加的な機能を提供しており、これについては下で詳しく説明する。
【０１６０】
１つの実施形態では、更に、携帯情報端末（ＰＤＡ）の大きさをした追加的な遠隔表示器（図示せず）が提供されている。この追加的遠隔表示器は、１つの実施形態によれば、無線接続を介して主制御パネル６０２と通信している。この遠隔表示器は可動性であるため、医師は、この追加的遠隔表示器を柔軟に活用することができる。その寸法のおかげで、追加的表示器は、非常に持ち運びし易く、使用に便利である。遠隔表示器は、ユーザー入力を受け取って、表示情報を出力として提供することができ、１つの実施形態によれば、主パネル６０２により提供されている機能性のサブセットを提供している。１つの実施形態では、追加的遠隔表示器は、独自の表示機能性及び／又は主パネル６０２に関する追加的な機能を提供している。
【０１６１】
１つの実施形態では、出力管６１８ａと６１８ｂは、再使用可能な部分と一回使用部分を含んでいる。この実施形態では、出力管６１８ａと６１８ｂの一回使用部分は、患者カテーテルに連結されており、患者処置後に廃棄される。再使用可能部分とは、シリンジアッセンブリ６１４ａと６１４ｂの出力に直接連結されている管部分である。１つの実施形態によれば、それら再使用可能部分と一回使用部分は、流体コネクタによって連結されている。アッセンブリ６２０の（ピンチ弁の様な）弁は、相互汚染を防止するのに役立つ。
【０１６２】
１つの実施形態では、管６１６ａは、シリンジアッセンブリ６１４ａの流体入力ポートに連結されており、管６１６ｂは、シリンジアッセンブリ６１４ｂの流体入力ポートに連結されている。出力管６１８ａ（又は、１つの実施形態では、少なくともその再使用可能部分）は、シリンジアッセンブリ６１４ａの流体出力ポートに連結されており、出力管６１８ｂ（又は、１つの実施形態では、少なくともその再使用可能部分）は、シリンジアッセンブリ６１４ｂの流体出力ポートに連結されている。
【０１６３】
１つの実施形態では、リザーバー６０６、リザーバー６１０、管６１６ａと６１６ｂ、シリンジアッセンブリ６１４ａと６１４ｂ、並びに管６１８ａと６１８ｂの再使用可能部分は、複数の患者処置に亘って再使用される使い捨て構成要素である。管６１８と６１８ｂの一回使用部分は、一回の患者処置にしか使用されず、前記使用後は廃棄される、使い捨て構成要素である。
【０１６４】
図３９Ｂは、システム６００の或る特定の構成要素の内視図を示している。図３９Ｂは、２つのモーター／アクチュエータアッセンブリ６３０ａと６３０ｂを示している。アッセンブリの各モーターは、それぞれのリニアアクチュエータを駆動する。各リニアアクチュエータは、各シリンジのプランジャを駆動する。例えば、モーター／アクチュエータアッセンブリ６３０ａのリニアアクチュエータは、シリンジアッセンブリ６１４ａ内のプランジャを駆動し、モーター／アクチュエータアッセンブリ６３０ｂのリニアアクチュエータは、シリンジアッセンブリ６１４ｂ内のプランジャを駆動する。個々のプランジャは、シリンジ筒内で、前進方向又は後退方向の何れにも動くことができる。前進方向に動いて
いるとき、プランジャは流体を患者配管内に注入する。例えば、シリンジアッセンブリ６１４ａ内のプランジャが前進方向（図３９Ｂでは左）に進むとき、プランジャは液体を出力管６１８ａの中に注入することができる。後退方向（図３９Ｂでは右）に動いているとき、プランジャは、リザーバー６１０からシリンジアッセンブリ６１４ａの中に流体を充填することができる。
【０１６５】
図３９Ｂに示すように、アッセンブリ６１２ａは、弁６３２ａと空気検出器６３４ａを備えている。同様に、アッセンブリ６１２ｂは、弁６３２ｂと空気検出器６３４ｂを備えている。１つの実施形態では、弁６３２ａと６３２ｂは、ピンチ弁を備えている。各弁６３２ａと６３２ｂは、シリンジアッセンブリ６１４ａと６１４ｂそれぞれにつながる流体接続を制御するために、システム６００により開閉される。例えば、システム６００は、リザーバー６１０からシリンジアッセンブリ６１４ａに流体を充填するには、弁６３２ａを開く。また、システム６００は、リザーバー６０６からシリンジアッセンブリ６１４ｂに流体を充填するには、弁６３２ｂを開く。システム６００は、１つの実施形態では、シリンジアッセンブリ６１４ａと６１４ｂを同時に又は実質的に同時に充填することができる。システム６００は、流体注入時には弁６３２ａ及び／又は６３２ｂを閉じる。例えば、システム６００は、シリンジアッセンブリ６１４ａが、アッセンブリ６１４ａから出力管６１８ａに流体を注入するのに使用されているときは、弁６３２ｂを閉じる。
【０１６６】
空気検出器６３４ａと６３４ｂは、関係付けられている管６１６ａと６１６ｂ内の気柱又は気泡の存在を検出する。それら検出器には、光学、音響、又は他の形態のセンサが含まれる。１つの実施形態によれば、これらセンサの内の１つ又はそれ以上が、シリンジ６１４ａ及び／又は６１４ｂにつながっている流体配管内に空気が存在することを示す信号を生成すると、システム６００は、ユーザーに警告するか又は注入処置を停止する。
【０１６７】
図３９Ｂの実施形態では、アッセンブリ６２０は、出力弁６３６ａと６３６ｂ、並びに出力空気検出器６３８ａと６３８ｂを含んでいる。１つの実施形態では、弁６３６ａと６３６ｂはピンチ弁を備えている。システム６００は、出力弁６３６ａと６３６ｂを制御して、出力管６１８ａ及び／又は６１８ｂを介して、何時、流体を患者に注入するかを制御する。例えば、システム６００は、弁６３６ａを開いて、アッセンブリ６１４ａが流体を出力管６１８ａに注入できるようにする。また、システムは、弁６３６ｂを開いて、アッセンブリ６１４ｂが流体を出力管６１８ｂに注入できるようにする。１つの実施形態では、システム６００は、流体を、シリンジアッセンブリ６１４ａと６１４ｂから出力管６１８ａと６１８ｂに同時に又は実質的に同時に注入する。この実施形態では、弁６３６ａと６３６ｂは共に開かれる。システム６００は、リザーバー６１０及び／又は６０６から対応するシリンジアッセンブリに流体を充填しているときには、弁６３６ａと６３６ｂを閉じる。例えば、システム６００は、リザーバー６１０からシリンジアッセンブリ６１４ａに流体を充填するときは、弁６３６ａを閉じる。この場合、弁６３２ａは開いた状態となる。
【０１６８】
空気検出器６３８ａと６３８ｂは、検出器６３４ａ及び６３４ｂと同様に機能するが、前者は、それぞれ関係付けられている出力管６１８ａと６１８ｂの下流側に配置されている。それら検出器６３８ａと６３８ｂは、関係付けられている管内に気泡又は気柱を検出すると、システム６００に信号を送る。システム６００は、検出器６３８ａ又は６３８ｂからその様な信号を受け取って処理すると、ユーザーに警告するか、注入処置を自動的に中断又は停止して、空気が患者に送り込まれないようにする。
【０１６９】
１つの実施形態では、システム６００は、ユーザーが或る特定の構成要素をシステム６００に手作業で装填するときには、弁６３２ａ、６３２ｂ、６３６ａ、又は６３６ｂの内の１つ又はそれ以上を開く。例えば、システム６００は、ユーザーが、アッセンブリ６１
４ａと管６１６ａの様なシリンジアッセンブリと管を手作業で装填するときには、弁６３２ａの様な入力弁を開く。別の例では、システム６００は、ユーザーが、管６１８ｂの様な出力管を手作業で装填するときには、弁６３６ｂの様な出力弁を開く。
【０１７０】
図３９Ｃは、システム６００の一部の上面図を示している。図３９Ｃは、１つの実施形態による、使用される状況連動型点灯器の一例を示している。この実施形態では、状況連動型点灯器は、各弁及び空気検出器に関係付けられている。点灯表示器６５０ａと６５０ｂは、弁６３２ａと６３２ｂにそれぞれ関係付けられており、それら構成要素に近接して設置されている。１つの実施形態では、点灯表示器は、関係付けられた構成要素に隣接している。点灯表示６５２ａと６５２ｂは、空気検出器６３４ａと６３４ｂに関係付けられており、それら構成要素に近接して設置されている。点灯表示器６５４ａと６５４ｂは、弁６３６ａと６３６ｂに関係付けられており、それら構成要素に近接して設置されている。点灯表示器６５６ａと６５６ｂは、空気検出器６３８ａと６３８ｂに関係付けられており、それら構成要素に近接して設置されている。個々の点灯表示器は、（弁及び空気検出器の様な）特定の構成要素がシステム６００内のどこに設置されているかをオペレータに示すのに役立つ。１つの実施形態では、点灯表示器６５０ａ、６５０ｂ、６５２ａ、６５２ｂ、６５４ａ、６５４ｂ、６５６ａ、６５６ｂは、点灯型図形の様な点灯パターンを備えている。
【０１７１】
１つの実施形態では、システム６００は、システム６００に馴染みの薄い又は不慣れなユーザー向けのガイド付き設定モードを提供している。この実施形態では、状況連動型点灯器が、システム６００を使用するためにどの様に設定するかをユーザーに案内する助けになる。例えば、システム６００は、１つ又はそれ以上の点灯表示器を、点滅させ、色を変えさせ、又は、点灯表示器に、設定が或る特定の様式で進んでいること、又は或る特定の条件が存在することを示す別の視覚表示を提供させる。１つのシナリオでは、システム６００は、表示６５０を点滅させて、ユーザーが弁６３２ａを通して管６１６ａを装填しようとしていることを示す。ユーザーが管を首尾よく装填してしまうか、別のやり方で設定機能を適切に実行すると、システム６００は、点灯表示器６５０に常時（点滅していない）灯を表示させ、装填が完了又は成功したことを示す。同様に、表示の色の変化（例えば、赤から緑）によって、作業段階が首尾よく完了したことを示すようにしてもよい。残りの表示器６５０ｂ、６５２ａ、６５２ｂ、６５４ａ、６５４ｂ、６５６ａ、６５６ｂは、ガイド付き設定中は同様の様式で制御される。１つの実施形態では、システム６００は、ユーザーが適切な装填用ドア６１３ａ、６１３ｂ、６２２ａ、及び／又は６２２ｂを閉じるまで、又はユーザーが別のやり方で設定を正しく実行するまで、点灯表示器を常時点灯（装填成功表示）させない。
【０１７２】
１つの実施形態では、システム６００は、更に、システム６００をかなり使い慣れたユーザー向けの高速設定モードを提供する。この実施形態では、ユーザーは、ユーザーの裁量でシステム構成要素を装填することができ、システム６００は、ユーザーが個々の構成要素の装填を首尾よく完了するか、又は別のやり方で１つ又はそれ以上の設定機能を正しく実行した後、表示を点灯することになる。例えば、ユーザーが弁６３６ｂ及び空気検出器６３８ｂを通して出力管６１８ｂを装填した後、システム６００は、点灯表示６５４ｂ及び６５６ｂを視覚的に常時点灯表示させ、ユーザーが上記構成要素を通して出力管６１８を首尾よく装填し終えたことを示す。システム６００は、装填成功を示すために、１つ又はそれ以上の点灯パターンに緑の様な特定の色の灯を表示させるようにしてもよい。
【０１７３】
１つの実施形態では、更に、システム６００は、潜在的又は実際のエラー状態を表示するか、ユーザーが設定機能を正しく実行しなかったことを表示するために、点灯表示器に識別された色を表示させる。例えば、システム６００は、表示器６５０ｂを常時赤色に点灯して、ユーザーに、弁６３２ｂが誤作動したことを示す。或いは、システム６００は、
表示器６５６ａを常時赤色に点灯して、ユーザーに、空気検出器６３８ａが空気の存在を検出したことを示す。その他様々な視覚的又は図形的なパターン、表示などを、システム６００の点灯表示器６５０ａ、６５０ｂ、６５２ａ、６５２ｂ、６５４ａ、６５４ｂ、６５６ａ、６５６ｂで行ってもよい。
【０１７４】
図４０Ａと図４０Ｂ及び図４１Ａと図４１Ｂは、システム６００の様な電動注入システムに使用される使い捨て流体接続部の或る特定の実施形態の斜視図である。上記各図に示している例は、デュアルシリンジ注入システムに使用される使い捨て接続部に焦点を当てているが、他の実施形態は、他の構成を有する注入システム、例えば、図４２に示すシステムなどでの様なシリンジと蠕動ポンプとして、それら接続部を使用する方法を提供している。様々な実施形態では、使い捨て流体接続部は、シリンジ、蠕動ポンプ、又は他の形態のポンプの様な、１つ又はそれ以上の加圧ユニットに連結されている。使い捨て流体コネクタの様々な実施形態は、電動注入システム及び／又は患者配管に必要な接続部の数をできる限り少なくするのに役立つ。
【０１７５】
図４０Ａは、使い捨て流体コネクタ６８２が注入システム６００と共に使用されている１つの例を示している。この実施形態では、使い捨て流体コネクタ６８２は、注入ヘッド６０４のアッセンブリ部分６８０に装填される。この状態で、コネクタ６８２は、１つの単一のアッセンブリとして注入器に連結される。図４０Ｂは、コネクタ６８２が部分６８０に装填された後の例を示している。コネクタ６８２は、１つの実施形態によれば、単一の患者処置だけに使用される（一回使用）。この実施形態では、コネクタ６８２は、特定の患者に対する注入処置に使用された後、廃棄される。１つの実施形態では、コネクタ６８２は、１つのアッセンブリとして注入ヘッド６０４の部分６８０に装填され、取り外される「使い捨てカセット」と呼ばれている。１つの実施形態によれば、コネクタ６８２の、部分６８０の上部に装着する部分又は部材は、プラスチックの様な弾性材料で作られている。この部材は、１つの実施形態によれば、管６８６ａと６８６ｂの両方に取り外し不能に取り付けられている。コネクタ６８２を操作する際、又はコネクタ６８２を部分６８０に装填／取り外しする際、ユーザーは、管６８６ａと６８６ｂの両方に取り外し不能に取り付けられている部材を把持及び／又は操作する。これにより、１つの実施形態によれば、ユーザーがコネクタ６８２を更に容易且つ便利に取り扱えるようになる。１つの実施形態では、この部材は、管６８６ａと６８６ｂの両方に取り外し可能に接続されている。
【０１７６】
図４０Ａと図４０Ｂに示すコネクタ６８２は、出力管６８６ａと６８６ｂを含んでいる。コネクタ６８２は、更に接続部６８４を含んでいる。接続部６８４は、コネクタ６８２を外部医療装置又は外部信号に接続するのに用いられる。この接続部６８４は、注入器ヘッド６０４に連結される。例えば、１つの実施形態では、接続部６８４は、圧力変換器に接続されており、システム６００が血流力学信号を監視できるようになっている。この実施形態では、圧力変換器を接続部６８４に接続するのにケーブルが使用されている。接続部６８４は、ＲＪ−１１コネクタを含んでおり、圧力変換器からの信号は、処理のため接続部６８４を経由してシステム６００に送られる。１つの実施形態では、ケーブルは、血流力学的監視装置又はバルーン膨張装置の様な外部医療装置を、コネクタ６８４を介してシステム６００に直接接続するのに使用されている。１つの実施形態では、システム６００は、ヘッド６０４に対する接続部６８４の存在を接続部６８４によって検出することができる。この実施形態では、システム６００は、ヘッド６０４の、部分６８０に対する電気的接続により、接続部６８４の存在を検出する。
【０１７７】
図４０Ａと図４０Ｂに示すように、コネクタ６８２が装填されるとき、出力管６８６ａと６８６ｂは、部分６８０の別々の溝又はチャネルに置かれる。出力管６８６ａと６８６ｂは、出力管６８１ａと６８１ｂそれぞれの一回使用部分を構成している。管６８６ａと６８６ｂは、１つの実施形態によれば、単一使用（患者）にしか利用されず、個々の患者
処置の後、廃棄される。管６８６ａと６８６ｂは、出力管６１８ａと６１８ｂの、複数の患者処置に亘って再使用可能な部分に連結され、或いはシリンジアッセンブリ６４１ａと６４１ｂそれぞれの出力部分に直接連結される、近位端部分を有している。管６８６ａと６８６ｂは、それぞれ、患者に接続されている患者配管に連結することのできる遠位端を有している。（ピンチ弁の様な）弁６３６ａと６３６ｂの使用は、出力管６８１ａと６８１ｂの再使用可能部分の相互汚染を防止するのに役立つ。１つの実施形態では、管６８６ａと６８６ｂは、（下の）図５５Ａと図５５Ｂに図示しそれらに関連付けて説明するエラストマー系の弁の様な流体弁に連結されている。この実施形態では、管６８６ａは、弁の第１入力ポートに連結され、管６８６ｂは弁の第２入力ポートに連結される。そこで、弁の出力ポートは、患者配管に連結される。弁は、管６８６ａと６８６ｂを通って患者配管に流れる流体の流れを制御する。
【０１７８】
図４１Ａと図４１Ｂは、別の実施形態による、システム６００の様な電動注入システムに使用される、使い捨て流体接続部の斜視図である。図４１Ａは、システム６００に使用される使い捨てコネクタの一例６９０を示しており、図４１Ｂは、コネクタの一例６９０が注入器ヘッド６０４のアッセンブリ部分６９６に装填された後の状態を示している。コネクタ６９０は、先に図示し説明した接続部６８４に類似する接続部６９２を含んでいる。コネクタ６９０は、先の図に示しているコネクタ６８２より大きな寸法を有する部分６９６に装入するための構成要素を備えている。１つの実施形態では、この大きな寸法の構成要素は、部分６９６の受け入れ部分に被さるように滑り込ませ、出力管６８６ａと６８６ｂは、部分６８６の狭い溝又はチャネルを通る際に密に近接する位置に設置される。
【０１７９】
図４２は、１つの実施形態による、シリンジ７１４と、蠕動ポンプ７２４の様なポンプを含んでいる、電動注入システム７００の斜視図である。この実施形態では、シリンジ７１４は、造影剤の様な第１薬液を患者に送達するのに使用され、ポンプ７２４は、生理食塩水希釈剤の様な第２流体を患者に送達するのに使用されている。システム７００は、更に、主制御パネル７０２、小型制御パネル７０８、第１流体リザーバー７１０、第２流体リザーバー７０６、入力管７１６、出力管７１８ａと７１８ｂ、アッセンブリ７２０、及びドア７２２ａと７２２ｂを含んでいる。
【０１８０】
１つの実施形態では、制御パネル７０２は、形状と機能が、図３９Ａに示すパネル６０２と同様であり、小型パネル７０８は、形状と機能が、パネル６０８と同様である。リザーバー７１０には、造影剤の様な第１の薬液が入っており、リザーバー７０６には、生理食塩水の様な第２の流体が入っている。図４２の例に示すように、リザーバー７１０は、ガラスのボトルであり、リザーバー７０６はプラスチックの袋である。他の実施形態では、他のリザーバー型式が使用されている。リザーバー７１０内の流体は、シリンジ７１４内でプランジャが後退すると、管７１６を通りシリンジ７１４に充填される。システム７００は、このプランジャの動きを制御することができる。１つの実施形態では、システム７００は、手持ち式制御器からのユーザー入力又はパネル７０２及び／又は７０８上に提供されるユーザー入力の様なユーザー入力を受け取ると、プランジャの動きを制御する。リザーバー７０６内の流体は、蠕動ポンプ７２４の作動により、管７１８を通って移動する。ポンプ７２４も、システム７００によって制御されている。
【０１８１】
シリンジ７１４内に入っている薬液は、出力管７１８ａを介して患者に注入され、リザーバー７０６からの薬液は、ポンプ７２４の作動により出力管７１８ｂを介して患者に注入される。出力管７１８ａと７１８ｂは、１つの実施形態では、患者カテーテルに作動的に接続されている。
【０１８２】
１つの実施形態では、管１８ａは、一回使用部分と複数回使用部分を備えている。一回使用部分は、患者配管（カテーテル）に作動的に連結されており、複数回使用部分は、シ
リンジ７１４の出力に連結されている。一回使用部分及び複数回使用部分は、コネクタを介して連結されている。
【０１８３】
１つの実施形態では、リザーバー７０６、リザーバー７１０、管７１６、シリンジ７１４、及び管７１８ａの再使用可能部分は、複数の患者処置に亘って再使用される使い捨て構成要素であり、一方、管７１８ａと管７１８ｂの一回使用部分は、単一の患者処置にしか使用されない使い捨て構成要素である。アッセンブリ７２０は、弁と空気検出器のアッセンブリを２個（それぞれシリンジ７１４とポンプ７２４に関係付けられている）を含んでいる。ドア７２２ａと７２２ｂは、アッセンブリ７２０にヒンジ付けされており、ドア６２２ａ及び６２２ｂと同様に機能する。１つの実施形態では、システム７００は、リザーバー７１０とシリンジアッセンブリ７１４の間に、図３９Ｂに示す弁６３２ａ及び空気検出器６３４ａと同様の弁と空気検出器（図示せず）を更に含んでいる。管７１６は、この弁を通り、この空気検出器を通って走っている。１つの実施形態では、弁は、ピンチ弁を備えている。
【０１８４】
１つの実施形態では、更に、携帯情報端末（ＰＤＡ）の大きさをした追加的な遠隔表示器（図示せず）が提供されている。この追加的な遠隔表示器は、１つの実施形態によれば、無線接続を介して主制御パネル７０２と通信している。この追加的な遠隔表示器は可動式であるため、医師は、より柔軟にこの表示器を使用することができる。この寸法のおかげで、追加的表示器は非常に持ち運びし易く、使用に便利である。遠隔表示器は、ユーザー入力を受け取り、情報を出力として提示することができ、１つの実施形態によれば、主パネル７０２により提供される機能のセブセットを提供している。１つの実施形態では、追加的な遠隔表示器は、独自の表示機能性及び／又は主パネル７０２に関する追加的な機能を提供している。
【０１８５】
図４３から図５４は、例えば、図３９Ａに示すシステム６００又は図４３に示すシステム７００の様な電動注入システムのグラフィックユーザーインターフェース（ＧＵＩ）内に提供される画面表示の様々な実施例を示している。それら画面表示は、先に図示し説明した制御パネル６０２、６０８、７０２及び／又は７０８の様な、システムの制御パネル上に提供される。１つの実施形態では、これらの画面表示は、主パネルに連結されている追加的な小型遠隔可搬表示器にも提供されている。その様な、小型遠隔表示器の例は、これまでに説明している。
【０１８６】
１つの実施形態では、図４３に示す画面表示は、制御パネル６０２又は７０２の様な、システムの主コンソール又は制御パネル上に提供される。図４３に示すように、制御パネルはタッチスクリーンインターフェースを含んでいるので、システムのユーザーは、提示されている画面表示と対話することができる。１つの実施形態では、制御パネルは、システムへ入力するためにユーザーが押すことになるハードボタンも含んでいる。他の実施形態では、他の形態の（音声起動式、手制御式、足制御式の様な）ユーザーインターフェースが使用されている。
【０１８７】
ユーザーは、表示されているオプションの内の１つを選択することにより、行われる処置の型式を選択する。図４３では、表示されているオプションは、「ＬＣＡ」（左冠状動脈）、「ＲＣＡ」（右冠状動脈）、及び「ＬＶ／Ａｏ」（左心室／大動脈）である。各オプションは、アイコンの様な対応する図形シンボルと関係付けられている。各シンボルは、患者に対して行われる医療処置についての情報と関係付けられている。１つの実施形態では、各シンボルは、図４３の例に示すように、行われる医療処置と関係付けられている患者の解剖学的位置（例えば、ＬＣＡ、ＲＣＡ、ＬＶ／Ａｏ）を表している。本例では、ユーザーは「ＬＣＡ」を選択している。１つの実施形態では、シンボルは、それぞれ、医療処置を行う際に使用される医療装置又は機材の型式を表している。
【０１８８】
一旦、ユーザーが選択を行うと、その選択の、対応する医療処置と関係付けられているデフォルト注入パラメータが取り出され、ユーザーに表示される。図４３の例では、「ＬＣＡ」を選択した場合のデフォルトパラメータ、即ち左冠状動脈への注入処置と関係付けられているパラメータが表示される。それらデフォルトパラメータは、１つの実施形態では、システム内に記憶されており、製造者によって構成されている。１つの実施形態では、ユーザーは、記憶されるデフォルトパラメータをカスタマイズすることができる。それらパラメータは、個々の患者注入処置に適用される。１つの実施形態によれば、パラメータがユーザーに表示された後、ユーザーは、次に、ＧＵＩを使用してパラメータの内の１つ又はそれ以上を変更することもできる。
【０１８９】
グラフィカルシンボル又はアイコンの使用は、実行される適切な処置と関係付けられている素早く認識できる図形表現をユーザーに提供するのに役立つ。これは、設定の作業の流れと速度の改善に役立つのみならず、恐らくミスを防止することにも役立つ。１つの実施形態では、図形アイコンは、更に、状況、状態、又は装置を示す様々な色で表示される。１つの実施形態では、様々な色は、以下の状態、即ち、未選択、選択済み、引き金が引かれた（注入器）、及び触れられた（ユーザーに）、に使用される。例えば、ユーザーがオプションの内の１つを選択した後、システムは、多くの場合、選択されたオプション（及び対応する図形シンボル）の色を変化させることによって、選択されたオプションをＧＵＩ内に表示する。
【０１９０】
図４３では、ユーザーは、最大注入量、最大流量、立ち上がり時間、及び最大注入圧を変更することができる。画面表示は、更に、関係付けられている（リザーバー７０６又は７１０の様な）造影剤リザーバー内に残留している造影剤又は生理食塩水の量を示すためのバー表示を、対応する数値と併せて含んでいる。ユーザーは、「注入」ボタンを押して流体の注入を開始させるか、「補充」ボタンを押して補充動作を開始させる。ユーザーは、（１つの実施形態によれば）、一方の（造影剤の様な）液状媒体については「注入」を押し、同時又は実質的に同時に第２の（生理食塩水の様な）液状媒体については「補充」を押すこともできる。１つの実施形態では、システムは、先にシステムに入力された入力に基づくリザーバーの寸法／容積を知っている。
【０１９１】
図４４は、１つの実施形態による、表示上のアクティブ及び非アクティブ画面部分の一例を示している。この実施形態では、「設定値調整」と呼ばれる画面ウインドウがアクティブウインドウであり、他の全ての背景メニューは又はウインドウは非アクティブになっている（灰色にぼやけている）。この様式では、ユーザーの注目は、表示のアクティブ部分にしか向かず、残りの表示部分は全面的に使用不能になっている。本例では、ユーザーの注意は、ユーザーが以前に変更で選択したものに基づく設定値の調整にしか向かない。アクティブウインドウは、ユーザーが、最大圧力、立ち上がり時間、及びＫＶＯ（静脈開通維持）流（ＫＶＯ特性がオンになっている場合）を調整するのに使用される。
【０１９２】
図４５は、図４３に示したのと同様の画面表示を示している。但し、図４５の表示は、幾つか追加の特性を含んでいる。図示のように、画面表示は、以前の注入の流量、以前の注入の注入量、所与の取扱症例の合計流体注入量の様な、追加の詳細を提供している。この画面表示は、使用中のカテーテルの現在寸法、計算された注入圧力、立ち上がり時間、及びＫＶＯ流量についての詳細も提供している。また、画面表示は、バルーン膨張装置（膨張／収縮では「膨張収縮装置」）の様な外部医療装置を制御し管理するため、画面のボタンで制御及び設定できるようにしている。１つの実施形態では、バルーン膨張装置は、自動膨張装置である。画面表示のＧＵＩを使用して、ユーザーは、膨張装置の引き金を引く／引き金を外すこと、処置に使用されるバルーン／ステント／他の型式を選択すること、膨張／縮小に関する圧力と時間の様な各種膨張／収縮パラメータを調整することができ
る。図４５に示す画面表示は、制御パネルに表示されている単一のＧＵＩから、複数の医療装置を制御するための無数のオプションを、ユーザーに提供している。
【０１９３】
図４６Ａと図４６Ｂは、医師の様な特定の個人に対し、各種注入設定又はパラメータをカスタマイズするためにユーザーに提供される画面表示の一例を示している。個々の注入システムが長い間に複数の異なる医師又はオペレータによって使用されるので、これは、医師らが、所与の処置型式又はシナリオについて自らが選択した又は好みの設定に関して、１つ又は複数のプロファイルを作成するのに、しばしば有用である。個々のユーザーは、システムを使用したいと思えば、ユーザーはシステムに保存されている自分達の好みのプロファイルを素早く且つ便利に呼び出すことができる。
【０１９４】
図４６Ａに示すように、ユーザーは模範的な医師の処置を選択している。「小児末梢」、「小児冠状動脈」、及び「小児頸動脈」の様な各種処置が表示されている。各処置のデフォルトセットは、製造者によりシステムにローディングされるが、ユーザーが更にカスタマイズすることもできる。個々の処置型式内で、システムは、患者の年齢又は年齢層の様な患者の付加的な部類を表示する。
【０１９５】
図４６Ｂの例では、ユーザーは、表示されている医師の「小児末梢」の一般的処置型式の場合の「年齢５−７」を選択している。この医師の場合、表示されているパラメータは、特定の処置型式に関する、そして指定の年齢範囲内に入る患者のデフォルトパラメータとして記憶されることになる。図４６Ｂに示すように、画面は、選択された型式での特定の処置に関するパラメータを表示している。それら処置の例には、「左冠状動脈」、「右冠状動脈」、及び「左心室」がある。関係付けられている図形表示又はアイコンが、処置の文字説明の横に表示されている。最大注入量及び最大流量の様な、処置毎に指定されているパラメータも示されている。ユーザーは、表示されている医師で使用される処置パラメータの何れを選択又は変更してもよく、その場合、それらは後で使用できるようにシステムに記憶される。
【０１９６】
図４７は、エラーインジケータの画面表示の一例を示している。図示のように、この特的のエラーインジケータは、ユーザーに特定の警告を図形的に示している。このシナリオでは、警告は、造影剤ボトルが空であることを示している。この実施形態では、ユーザーは、それまで表示されていた画面に戻る前に、「ＯＫ」ボタンをクリックせねばならない。警告ウインドウは、ユーザーに表示される注目の強調表示されたウインドウの別の例を提示しており、一方、他の全てのウインドウ及び／又はＧＵＩの部分は淡色表示／灰色にされ、ぼやかされている。１つの実施形態では、図４７に示す警告ウインドウは、黄色の様な特定の色で表示される。この実施形態では、特定の型式の警告に１つの色が使用され、他の型式の警告又はエラーには他の色が使用されている。各色の使用は、システムに起こるであろう又は起こった問題を素早く且つ正確に識別し解消するのを支援する。
【０１９７】
図４８から図５０は、（システム６００又は７００の様な）注入システムの設定に際し、システムにより提供される画面表示の各例を示している。１つの実施形態では、設定画面は、（パネル６０２の様な）主制御画面と注入ヘッド側の（パネル６０８の様な）小型パネルの両方に提示させることができる。この実施形態では、主制御パネルは、或る特定の設定情報（又は設定画面）を提供することができ、一方、小型パネルは、設定情報の型式又は順番に基づき他の設定情報（又は画面）を提供することができる。１つの実施形態では、設定画面は、主制御パネル又は小型制御パネルの何れかにしか提供されない。１つの実施形態では、設定画面は、（ＰＤＡの大きさをした）小型遠隔可搬パネル上にも提供される。
【０１９８】
１つの実施形態では、注入システムは、ガイド付き設定と高速又は熟練者設定モードの
両方を提供している。ガイド付き設定モードは、システムに馴染みの薄い又は不慣れなユーザーに、又はシステムの使用方法について更に具体的な指示を求めているユーザーに使用される。ガイド付き設定モードでは、注入ヘッドの状況連動型点灯方式が、システムを使用するのにどの様に設定するかに関してユーザーを案内するのに更に役立っている。例えば、ガイド付き設定モードでＧＵＩ（コンソールのグラフィックユーザーインターフェース）の指示を通して進めてゆく間、システムは、注入ヘッド上の、パターンの様な、１つ又はそれ以上点灯表示器を、点滅させ、色を変えさせ、又は点灯表示器に、設定が或る特定の様式で進んでいること又は（エラー状況の様な）或る特定の状態が存在することを示す何か他の形態の視覚表示を提供させる。例えば、１つのシナリオでは、ＧＵＩは、ユーザーが造影剤シリンジを装填するように指定する。注入ヘッドでは、造影剤シリンジに関係付けられている状況連動型点灯表示器が、黄色の様な特定の色で点滅して、ユーザーに行動を起こすよう指示する。次に、ＧＵＩは、造影剤シリンジの装填に関して、ユーザーに図形及び文字による指示を与える。この様式では、ユーザーは、ＧＵＩからガイド付き設定指示を受け取り、注入器ヘッド上で設定の支援となる対応するインジケータ（状況連動型点灯方式を介して）を受け取る。リザーバーの装填、管の装填、カートリッジの装填、手持ち式制御器のシステムへの設置、その他の様な他の設定タスクでは、追加の指示が提供される。様々な色及び色パターンも使用される。例えば、システムは、或る特定の設定ステップを行うべきであることを示すのに黄色灯／点灯パターンを、或る特定の設定ステップが首尾よく実行されたことを示すのに白色灯／パターンを、或いは１つ又はそれ以上のエラーが起こったことを示すのに赤色灯／パターンを提供する。また、システムは、様々な状況状態に対し点滅又は常時点灯パターンを提供する。例えば、システムは、或る特定の設定ステップを実行すべきことを示すのに点滅ライトを提供し、又は或る特定の設定ステップが完了したことを示すのに常時点灯ライトを提供する。
【０１９９】
１つの実施形態では、システムは、更に、システムの使用にもっと慣れているか、対話的な設定手続きを経由するのを望まないユーザー向けの、高速又は熟達設定モードを提供している。この実施形態では、ユーザーは、ユーザーの裁量でシステム構成要素を装填することになり、システムは、ユーザーが或る特定の設定段階を首尾よく完了したことを示す或る特定の点灯パターンを実施することになる。例えば、ユーザーが、管を弁と空気検出器の両方に通して装填した後、システムは、注入ヘッドの点灯表示に、常時点灯ライトを視覚的に表示させ、ユーザーが管の装填を首尾よく完了したことを示す。更に、システムは、１つ又はそれ以上の点灯パターンに、緑の様な特定の色のライトを表示させ、装填の成功を示す。図４９は、ユーザーがガイド付き設定モード又は熟達設定モードの何れかを選択するのに使用するＧＵＩの一例を示している。注入器ヘッド並びにその手持ち式制御器への連結部の図形表現が表示されている。一旦、設定が開始されたら、様々なライト及び点灯パターンが使用される。
【０２００】
図４８は、ガイド付き及び／又は高速モードでの、注入器の初期設定の際にコンソールに提示されるＧＵＩの１つの例を示している。流体リザーバー、シリンジ、及び多種多様な弁／空気検出器アッセンブリの様な、注入器ヘッドの各種構成要素の図形表現が、ＧＵＩ内に示されている。アイコンと明色コーディングを図形表現と併せて使用することで、生理食塩水が生理食塩水リザーバーからシリンジの中に装填されたことが示される。この初期設定時には、ＧＵＩの指示と共に、注入ヘッドの状況連動型点灯方式パターンも使用されている。ユーザーがガイド付き設定モードを選択すると、システムは、生理食塩水が首尾よく装填された後、次の設定ステップをＧＵＩに表示する。ＧＵＩ内に様々な形態の視覚表示（例えば、図形シンボル又は文字による指示など）を使用することにより、システムは、どの特定の単数又は複数の設定機能を、システムの対応する構成要素で実行すべきかを示すことができる。１つの実施形態では、矢印の様な図形シンボル、又更には色付き強調表示が、ＧＵＩ内で使用されている。図形シンボルは、様々に異なる色で表示される。ガイド付き設定モードでは、ＧＵＩは、一連の視覚表示又は指示を提示し、ユーザー
にシステムの詳しい設定指示を与える。
【０２０１】
図５０は、１つの実施形態による、ガイド付き設定手続き時に提供されるＧＵＩの一例を示している。この例では、ＧＵＩは、造影剤シリンジを設定するための指示をユーザーに与えている。ＧＵＩは、注入器ヘッドに装填された造影剤シリンジの図形表現、並びに入力及び出力管の表現を提供している。図示の入力管は、弁と空気検出器を通って走っている。ＧＵＩ内の文字による指示は、ユーザーが造影剤シリンジ室を開き、シリンジを室内に置き、そして室を閉じるように指示している。ＧＵＩ内の図形及び文字情報の組み合わせは、設定処理時にユーザーに多様な形態の有用な情報を提供する。
【０２０２】
図５１から図５４は、パネル６０８及び７０８の様な小型制御パネル内に表示される図形情報の例である。図５１は、左冠状動脈注入処置の詳細及びパラメータを表示するためにＧＵＩ内に提供される画面の一例を示している。ユーザーは、処置中に送達される薬液の最大量並びに最大流量を、「＋」及び「−」ボタンを使用して変更することができる。１つの実施形態では、それらボタンは、制御パネルのハウジング上に設けられているハードボタンである。１つの実施形態では、それらボタンは、タッチスクリーンパネル内に提供されている。図５１は、更に、立ち上がり時間、及び計算又は測定された流体圧を、造影剤及び生理食塩水流体リザーバーに残留している流体の量のバー表示と併せて表示している。ユーザーが主制御パネルの近くに居ないとき、ユーザーは、（注入器ヘッドに設置されている）小型制御パネルに表示されている情報が特に有用且つ便利であることがわかる。
【０２０３】
図５２は、ＧＵＩ内に提供される設定情報の別の例を提示している。図示のように、この特定の例は、ガイド付き設定処理に関する情報を提供する。文字情報は、ユーザーに、管を弁に通して設置し、ドアを閉じるように指示している。図形情報は、弁を通して設置された管を表現したものを示しており、ユーザーが識別できるように矢印で弁を指している。
【０２０４】
図５３は、ボトル選択画面の一例を提示している。１つの実施形態によれば、ＧＵＩとの対話を通して、ユーザーは、使用する造影剤ボトルの容積又は大きさを選択する。図５３に示すように、ユーザーは、表示されているオプションから、ボタン８００、８０２、８０４、又は８０６にタッチすることによって選択する。以前に使用された造影剤リザーバーの容積又は大きさもＧＵＩ内に表示される。１つの実施形態では、ボタン８００、８０２、８０４、８０６は、ハードボタンである。１つの実施形態では、ボタン８００、８０２、８０４、８０６は、タッチスクリーン上で選択可能なボタンである。
【０２０５】
図５４は、ユーザーに提示される警告の一例である。例えば、この警告は、小型制御パネルの、図５１に示す画面表示に提示される。この特定の警告は、流体リザーバーの流体量が少なくなってきていることを示している。アイコン又は図形表現が、対応するバー表示の横に表示されている。図５４では、警告は、造影剤リザーバーが少ないことを示している。ユーザーは、この警告を見ると、すぐに交換が必要であることに気づく。造影剤リザーバーが実際に空になると、別の警告又はエラー表示が表示される。
【０２０６】
様々な画面が、遠隔小型表示器又は制御パネルに表示される。この遠隔パネルは、１つの実施形態によれば、無線接続を使用して、主パネルと通信する。１つの実施形態では、遠隔パネルは可搬式であり、ＰＤＡ（携帯情報端末）の大きさの様に小さい。遠隔パネルの画面サイズは、１つの実施形態によれば、主パネルよりも小さいが、それでも、複数の異なる色による情報を含め、膨大な量の表示情報をユーザーに提供することができる。ユーザーは、１つの実施形態によれば、遠隔パネルを使用して、情報を入力することもでき、その情報は次いで主パネルに送信して戻される。
【０２０７】
図５５Ａは、電動注入システムと共に使用される弁の１つの実施形態の斜視図である。例えば、弁は、１つの実施形態によれば、図３９Ａに示すシステム６００と共に、又は図４２に示すシステム７００内で使用される。１つの実施形態では、弁は、患者配管の一部、即ち一回使用キットであるエラストマー系の弁アッセンブリを備えている。図５５Ａに示す弁は、第１入力ポート９００、第２入力ポート９０４、トランスデューサ接続部９０２、出力ポート９０６を含んでいる。トランスデューサ接続部９０２は、血流力学の監視に使用される圧力トランスデューサに連結される。次いで、圧力トランスデューサが、血流力学監視システムに連結される。入力ポート９００は、図３９Ａに示す出力管６１８ｂの様な第１流体出力配管に接続される。１つの実施形態では、入力ポート９００は、低圧配管に連結されている。入力ポート９０４は、出力管６１８ａの様な第２流体出力配管に接続される。１つの実施形態では、入力ポート９０４は、高圧配管に連結されている。出力ポート９０６は、カテーテルに繋がっている患者配管に連結される。この実施形態では、流体は、ポート９０６から押し出され患者に注入される。１つの実施形態では、弁は、流体がポート９００又は９０４の何れかからポート９０６に流れるのは許容するが、反対方向に流れるのは許容しない一方向弁として機能している。１つの実施形態では、弁は、二方向の流体の流れを提供することができる。
【０２０８】
図５５Ｂは、システム６００又はシステム７００の様な電動注入システムと共に使用される弁の別の実施形態の斜視図である。この実施形態では、弁は、第１入力ポート９１０、第２入力ポート９１４、出力ポート９１６、及び通気口９１２を備えている。図５５Ｂに示す弁は、トランスデューサ接続部を含んでいていないが、代わりに、通気口９１２を含んでいる。
【０２０９】
図５６は、システム６００又はシステム７００の様な電動注入システムと共に使用される手持ち式制御器の１つの実施形態の斜視図である。この手持ち式制御器は、システムに連結されており、ユーザーが患者への流体の注入を制御するのに使用される。１つの実施形態では、手持ち式制御器は、各患者処置後に廃棄される使い捨て構成要素である。１つの実施形態では、手持ち式制御器は、複数の処置に亘って再使用可能である。
【０２１０】
手持ち式制御器は、ハウジング１０００、第１ボタン１００２、及び第２ボタン１００４を備えている。図示のように、ハウジング１０００は、人間工学的に肉薄であり、ユーザーの掌にぴったりと沿う。１つの実施形態では、ハウジング１０００は、プラスチック材料で作られており、ボタン１００２及び１００４は、シリコン又はゴムの様な可撓性材料で作られている。ユーザーは、生理食塩水の様な第１流体を患者に注入する場合にはボタン１００２を押す。ユーザーは、造影剤の様な第２流体を患者に注入する場合にはボタン１００４を押す。或るモードでは、ユーザーは、所定量の流体を注入する場合にはボタン１００２を押す。或るモードでは、ユーザーは、可変量の流体を可変流量で注入する場合にはボタン１００４を押して、ユーザーがボタン１００４をどれだけ長く、どれだけ強く押すかによって加減する。１つの実施形態では、ユーザーは、ボタン１００２又はボタン１００４の何れかを押すのに、親指の様な同じ指を使う。１つの実施形態では、ユーザーは、別々の指を使って、ボタン１００２と１００４を同時に又は実質的に同時に押す。１つの実施形態では、手持ち式制御器及び対応するボタンは、空圧式インターフェース又は電子式インターフェースを使用して、注入システムに連結されている。他の実施形態では、他のインターフェースが使用されている。１つの実施形態では、図５６に示す手持ち式制御器は、図１に示す手持ち式制御器１４に置き換えられている。
【０２１１】
以上、好適な実施形態の説明及び本発明の使用法を開示してきたが、上記の記述に照らし、当業者には、ここで具体的に開示又は言及していない他の変更例が自明であろうと考えられる。上記説明は、好適な実施形態、構造、方法、アルゴリズム、及び用途の特定の
実施例を提供することを意図している。従って、本発明は、何れの特定の実施形態又はその構成又は構成要素部分に限定されるものではない。
【図面の簡単な説明】
【０２１２】
【図１】血管造影注入器システムの好適な実施形態を示している斜視図である。
【図２Ａ】図１のシステムの作動を示している図である。
【図２Ｂ】図１のシステムの作動を示している図である。
【図２Ｃ】図１のシステムの作動を示している図である。
【図２Ｄ】図１のシステムの作動を示している図である。
【図２Ｅ】図１のシステムの作動を示している図である。
【図２Ｆ】図１のシステムの作動を示している図である。
【図２Ｇ】図１のシステムの作動を示している図である。
【図３Ａ】図１の注入器システムの制御システムの電気ブロック図である。
【図３Ｂ】図１の注入器システムの制御システムの電気ブロック図である。
【図４】注入器システムの好適な実施形態の前面パネルの制御及び表示部を示している。
【図５Ａ】図１のシステムの遠隔制御器の側面図部である。
【図５Ｂ】図１のシステムの遠隔制御器の部分上面図である。
【図６】足操作式遠隔制御器の斜視図である。
【図７Ａ】図７Ａは、造影剤充填時の、吸込逆止弁とマニホルドの動作を示している。
【図７Ｂ】図７Ｂは、空気抜き時の、吸込逆止弁とマニホルドの動作を示している。
【図７Ｃ】図７Ｃは、空気抜き、及び患者注入動作時の、吸込逆止弁とマニホルドの動作を示している。
【図７Ｄ】図７Ｄは、患者注入動作時の、吸込逆止弁とマニホルドの動作を示している。
【図８Ａ】図８Ａは、吸込逆止弁の動作を更に詳しく示している。
【図８Ｂ】図８Ｂは、吸込逆止弁の動作を更に詳しく示している。
【図８Ｃ】図８Ｃは、吸込逆止弁の動作を更に詳しく示している。
【図９Ａ】図９Ａは、血管造影注入器システムの第２の実施形態の構成を示している斜視図である。
【図９Ｂ】図９Ｂは、血管造影注入器システムの第２の実施形態の構成を示している斜視図である。
【図１０】図９に開示されているシステムの各部の取り付け構成を示している機械ブロック図である。
【図１１Ａ】図１１Ａは、図９及び図１０のシステムの制御システムと電気的機能の電気ブロック図である。
【図１１Ｂ】図１１Ｂは、図９及び図１０のシステムの制御システムと電気的機能の電気ブロック図である。
【図１２】図１１の制御システムの注入器モーター制御部分の電気ブロック図である。
【図１３】図１１の制御システムの蠕動ポンプモーター制御部分と関係付けられている安全回路の電気ブロック図である。
【図１４】図１１のシステムの表示装置のパワーアップ画面の図である。
【図１５】図１１のシステムの表示装置の逆行較正画面の図である。
【図１６】図１１のシステムの表示装置のチェック画面の図である。
【図１７】図１１のシステムの表示装置の前進較正画面の図である。
【図１８】図１１のシステムの表示装置の第１起動指示画面の図である。
【図１９】図１１のシステムの表示装置の第２起動指示画面の図である。
【図２０】図１１のシステムの表示装置の第３起動指示画面の図である。
【図２１】図１１のシステムの表示装置の第４起動指示画面の図である。
【図２２】図１１のシステムの表示装置のシリンジ充填準備完了画面の図である。
【図２３】図１１のシステムの表示装置のシリンジ充填中通知画面の図である。
【図２４】図１１のシステムの表示装置の空気抜き中通知画面の図である。
【図２５】図１１のシステムの表示装置の配管空気抜き指示画面の図である。
【図２６】図１１のシステムの表示装置の配管空気抜き中通知画面の図である。
【図２７】図１１のシステムの表示装置の最終生理食塩水洗浄指示画面の図である。
【図２８】図１１のシステムの表示装置の生理食塩水洗浄中通知画面の図である。
【図２９】図１１のシステムの表示装置の最終起動画面の図である。
【図３０】図１１のシステムの主表示画面の図である。
【図３１】注入モードの動作を示している図３０の主表示画面の図である。
【図３２】固定速度動作モードが選択されたときに表示されるキーパッドを示している、図３０の主表示装置の図である。
【図３３】可変速度動作モードが選択されたときに表示されるキーパッドを示している、図３０の主表示装置の図である。
【図３４】手動空気抜きモードの動作を示している、図３０の主表示画面の図である。
【図３５】手動補充モードの動作を示している、図３０の主表示画面の図である。
【図３６Ａ】図３６Ａは、患者の体重に関係するアルゴリズムにより求められた流量限界のデフォルト注入パラメータ値の対比グラフを示している。
【図３６Ｂ】図３６Ｂは、患者の体重に関係するアルゴリズムにより求められた流量限界のデフォルト注入パラメータ値の対比グラフを示している。
【図３６Ｃ】図３６Ｃは、患者の体重に関係するアルゴリズムにより求められた流量限界のデフォルト注入パラメータ値の対比グラフを示している。
【図３７Ａ】図３７Ａは、患者の体重に関係する本発明のアルゴリズムにより求められた量限界のデフォルト注入パラメータ値のグラフ比較を示している。
【図３７Ｂ】図３７Ｂは、患者の体重に関係する本発明のアルゴリズムにより求められた量限界のデフォルト注入パラメータ値のグラフ比較を示している。
【図３７Ｃ】図３７Ｃは、患者の体重に関係する本発明のアルゴリズムにより求められた量限界のデフォルト注入パラメータ値のグラフ比較を示している。
【図３８】図３６及び図３７の患者関係デフォルト注入パラメータを求めるために使用されるプロセスを示す概略フローチャートである。
【図３９Ａ】図３９Ａは、１つの実施形態による、電動デュアルシリンジ造影剤注入システムの図である。
【図３９Ｂ】図３９Ｂは、１つの実施形態による、電動デュアルシリンジ造影剤注入システムの図である。
【図３９Ｃ】図３９Ｃは、１つの実施形態による、電動デュアルシリンジ造影剤注入システムの図である。
【図４０Ａ】図４０Ａは、電動注入システムに使用される使い捨て流体接続部の或る特定の実施形態の斜視図である。
【図４０Ｂ】図４０Ｂは、電動注入システムに使用される使い捨て流体接続部の或る特定の実施形態の斜視図である。
【図４１Ａ】図４１Ａは、電動注入システムに使用される使い捨て流体接続部の或る特定の実施形態の斜視図である。
【図４１Ｂ】図４１Ｂは、電動注入システムに使用される使い捨て流体接続部の或る特定の実施形態の斜視図である。
【図４２】１つの実施形態による、シリンジ及び蠕動ポンプを含んでいる電動注入システムの斜視図である。
【図４３】電動注入システムのグラフィックユーザーインターフェース（ＧＵＩ）内に提供される画面表示の様々な実施形態の一画面表示を示している。
【図４４】電動注入システムのグラフィックユーザーインターフェース（ＧＵＩ）内に提供される画面表示の様々な実施形態の別の画面表示を示している。
【図４５】電動注入システムのグラフィックユーザーインターフェース（ＧＵＩ）内に提供される画面表示の様々な実施形態の別の画面表示を示している。
【図４６ａ】電動注入システムのグラフィックユーザーインターフェース（ＧＵＩ）内に提供される画面表示の様々な実施形態の別の画面表示を示している。
【図４６ｂ】電動注入システムのグラフィックユーザーインターフェース（ＧＵＩ）内に提供される画面表示の様々な実施形態の別の画面表示を示している。
【図４７】電動注入システムのグラフィックユーザーインターフェース（ＧＵＩ）内に提供される画面表示の様々な実施形態の別の画面表示を示している。
【図４８】電動注入システムのグラフィックユーザーインターフェース（ＧＵＩ）内に提供される画面表示の様々な実施形態の別の画面表示を示している。
【図４９】電動注入システムのグラフィックユーザーインターフェース（ＧＵＩ）内に提供される画面表示の様々な実施形態の別の画面表示を示している。
【図５０】電動注入システムのグラフィックユーザーインターフェース（ＧＵＩ）内に提供される画面表示の様々な実施形態の別の画面表示を示している。
【図５１】電動注入システムのグラフィックユーザーインターフェース（ＧＵＩ）内に提供される画面表示の様々な実施形態の別の画面表示を示している。
【図５２】電動注入システムのグラフィックユーザーインターフェース（ＧＵＩ）内に提供される画面表示の様々な実施形態の別の画面表示を示している。
【図５３】電動注入システムのグラフィックユーザーインターフェース（ＧＵＩ）内に提供される画面表示の様々な実施形態の別の画面表示を示している。
【図５４】電動注入システムのグラフィックユーザーインターフェース（ＧＵＩ）内に提供される画面表示の様々な実施形態の別の画面表示を示している。
【図５５Ａ】図５５Ａは、電動注入システムと共に使用される弁の１つの実施形態の斜視図である。
【図５５Ｂ】図５５Ｂは、電動注入システムと共に使用される弁の別の実施形態の斜視図である。
【図５６】電動注入システムと共に使用される手持ち式制御器の１つの実施形態の斜視図である。
【図１】
0005465712.tif 000005
【図２Ａ】
0005465712.tif 000006
【図２Ｂ】
0005465712.tif 000007
【図２Ｃ】
0005465712.tif 000008
【図２Ｄ】
0005465712.tif 000009
【図２Ｅ】
0005465712.tif 000010
【図２Ｆ】
0005465712.tif 000011
【図２Ｇ】
0005465712.tif 000012
【図３Ａ】
0005465712.tif 000013
【図３Ｂ】
0005465712.tif 000014
【図４】
0005465712.tif 000015
【図５Ａ】
0005465712.tif 000016
【図５Ｂ】
0005465712.tif 000017
【図６】
0005465712.tif 000018
【図７Ａ】
0005465712.tif 000019
【図７Ｂ】
0005465712.tif 000020
【図７Ｃ】
0005465712.tif 000021
【図７Ｄ】
0005465712.tif 000022
【図８Ａ】
0005465712.tif 000023
【図８Ｂ】
0005465712.tif 000024
【図８Ｃ】
0005465712.tif 000025
【図９Ａ】
0005465712.tif 000026
【図９Ｂ】
0005465712.tif 000027
【図１０】
0005465712.tif 000028
【図１１Ａ】
0005465712.tif 000029
【図１１Ｂ】
0005465712.tif 000030
【図１２】
0005465712.tif 000031
【図１３】
0005465712.tif 000032
【図１４】
0005465712.tif 000033
【図１５】
0005465712.tif 000034
【図１６】
0005465712.tif 000035
【図１７】
0005465712.tif 000036
【図１８】
0005465712.tif 000037
【図１９】
0005465712.tif 000038
【図２０】
0005465712.tif 000039
【図２１】
0005465712.tif 000040
【図２２】
0005465712.tif 000041
【図２３】
0005465712.tif 000042
【図２４】
0005465712.tif 000043
【図２５】
0005465712.tif 000044
【図２６】
0005465712.tif 000045
【図２７】
0005465712.tif 000046
【図２８】
0005465712.tif 000047
【図２９】
0005465712.tif 000048
【図３０】
0005465712.tif 000049
【図３１】
0005465712.tif 000050
【図３２】
0005465712.tif 000051
【図３３】
0005465712.tif 000052
【図３４】
0005465712.tif 000053
【図３５】
0005465712.tif 000054
【図３６Ａ】
0005465712.tif 000055
【図３６Ｂ】
0005465712.tif 000056
【図３６Ｃ】
0005465712.tif 000057
【図３７Ａ】
0005465712.tif 000058
【図３７Ｂ】
0005465712.tif 000059
【図３７Ｃ】
0005465712.tif 000060
【図３８】
0005465712.tif 000061
【図３９Ａ】
0005465712.tif 000062
【図３９Ｂ】
0005465712.tif 000063
【図３９Ｃ】
0005465712.tif 000064
【図４０Ａ】
0005465712.tif 000065
【図４０Ｂ】
0005465712.tif 000066
【図４１Ａ】
0005465712.tif 000067
【図４１Ｂ】
0005465712.tif 000068
【図４２】
0005465712.tif 000069
【図４３】
0005465712.tif 000070
【図４４】
0005465712.tif 000071
【図４５】
0005465712.tif 000072
【図４６ａ】
0005465712.tif 000073
【図４６ｂ】
0005465712.tif 000074
【図４７】
0005465712.tif 000075
【図４８】
0005465712.tif 000076
【図４９】
0005465712.tif 000077
【図５０】
0005465712.tif 000078
【図５１】
0005465712.tif 000079
【図５２】
0005465712.tif 000080
【図５３】
0005465712.tif 000081
【図５４】
0005465712.tif 000082
【図５５Ａ】
0005465712.tif 000083
【図５５Ｂ】
0005465712.tif 000084
【図５６】
0005465712.tif 000085